(57)【要約】  本発明は、出力制御方法、ユーザ機器及び基地局を提供する。本方法は、基地局により送信される出力制御パラメータセットであって、少なくとも1つの出力制御パラメータグループを含み、該出力制御パラメータグループは、出力制御パラメータを含む出力制御パラメータセットを、UEによって受信し、前記出力制御パラメータセットに従って第1の出力制御パラメータグループをUEによって決定し、前記第1の出力制御パラメータグループ内の出力制御パラメータに従ってUEの送信出力をUEによって決定する。本方法は、UEが、サービスの要件又は基地局からの指示に従って、UEによって使用されるべき第1の出力制御パラメータグループを決定でき、UEが、第1の出力制御パラメータグループ内の出力制御パラメータに従って、UEによって現時点において開始されるサービスを満足させる送信出力を計算によって求め、したがってUEの通信距離が保証される。
2016529814.tif 000002
【特許請求の範囲】
【請求項１】
基地局によって送信され、少なくとも1つの出力制御パラメータグループを含んでおり、該出力制御パラメータグループは少なくとも1つの出力制御パラメータを含んでいる出力制御パラメータセットを、ユーザ機器UEによって受信するステップと、
UEによって、前記出力制御パラメータセットに従って、第1の出力制御パラメータグループを決定するステップと、
UEによって、前記第1の出力制御パラメータグループ内の出力制御パラメータに従って、UEの送信出力を決定するステップと
を含む出力制御方法。
【請求項２】
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または該第2の出力制御パラメータに対応する出力での送信をUEに対して指示するために使用される、請求項1に記載の方法。
【請求項３】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
基地局によって送信された出力制御パラメータセットを機器UEによって受信するステップは、
基地局によって送信され、出力制御パラメータグループと通信サービスとの間の第1の写像関係を含んでいる出力制御パラメータセットを、UEによって受信するステップ
を特に含み、
UEによって前記出力制御パラメータセットに従って第1の出力制御パラメータグループを決定するステップは、
UEによって開始される通信サービスおよび前記第1の写像関係に従って、前記第1の出力制御パラメータグループをUEによって決定するステップ
を特に含む、請求項2に記載の方法。
【請求項４】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
基地局によって送信された出力制御パラメータセットをUEによって受信するステップは、
基地局によって送信された出力制御パラメータセットおよび第1の識別子をUEによって受信するステップであって、該出力制御パラメータセットは、出力制御パラメータグループと出力制御グループ識別子との間の第2の写像関係を含んでいるステップ
を特に含み、
UEによって前記出力制御パラメータセットに従って第1の出力制御パラメータグループを決定するステップは、
前記第1の識別子および前記第2の写像関係に従って、前記第1の出力制御パラメータグループをUEによって決定するステップ
を特に含む、請求項2に記載の方法。
【請求項５】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
基地局によって送信された出力制御パラメータセットをUEによって受信するステップは、
基地局によって送信された出力制御パラメータセットおよび第2の識別子をUEによって受信するステップであって、該出力制御パラメータセットは、所定のシーケンスに従って基地局によって設定された少なくとも2つの出力制御パラメータグループを含んでいるステップ
を特に含み、
UEによって前記出力制御パラメータセットに従って第1の出力制御パラメータグループを決定するステップは、
前記第2の識別子および前記出力制御パラメータセットに従って、前記第1の出力制御パラメータグループをUEによって決定するステップ
を特に含む、請求項2に記載の方法。
【請求項６】
前記少なくとも1つの出力制御パラメータグループは、1つの第2の出力制御パラメータグループおよび1つの第3の出力制御パラメータグループを含み、
基地局によって送信された出力制御パラメータセットをUEによって受信するステップは、
基地局によって送信された出力制御パラメータセットおよび第3の識別子をUEによって受信するステップ
を特に含み、
UEによって前記出力制御パラメータセットに従って第1の出力制御パラメータグループを決定するステップは、
前記第3の識別子および前記出力制御パラメータセットに従って、前記第1の出力制御パラメータグループをUEによって決定するステップ
を特に含む、請求項2に記載の方法。
【請求項７】
前記少なくとも1つの出力制御パラメータグループは、1つの第2の出力制御パラメータグループを含み、
基地局によって送信された出力制御パラメータセットをUEによって受信するステップは、
基地局によって送信された出力制御パラメータセットおよび第4の識別子をUEによって受信するステップ
を特に含み、
UEによって前記出力制御パラメータセットに従って第1の出力制御パラメータグループを決定するステップは、
前記第4の識別子および前記出力制御パラメータセットに従って、前記第1の出力制御パラメータグループが第1の出力制御パラメータまたは第2の出力制御パラメータを含むとUEによって判断するステップ
を特に含む、請求項2に記載の方法。
【請求項８】
出力制御パラメータセットを基地局によって設定するステップであって、該出力制御パラメータセットは、少なくとも1つの出力制御パラメータグループを含み、該出力制御パラメータグループは、少なくとも1つの出力制御パラメータを含むステップと、
ユーザ機器UEにおいて前記出力制御パラメータセットに従って第1の出力制御グループを決定し、該第1の出力制御パラメータグループ内の出力制御パラメータに従ってUEの送信出力を決定するために、前記出力制御パラメータセットを基地局によってUEに送信するステップと
を含む出力制御方法。
【請求項９】
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、
前記第2の出力制御パラメータグループは、少なくとも1つの第1の出力制御パラメータを含み、前記第3の出力制御グループは、第2の出力制御パラメータを含み、
前記第2の出力制御パラメータは、UEが許容する最大送信出力での送信をUEに対して指示するために使用され、または該第2の出力制御パラメータに対応する出力での送信をUEに対して指示するために使用される、請求項8に記載の方法。
【請求項１０】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記出力制御パラメータセットを基地局によってUEに送信するステップは、
出力制御パラメータグループと通信サービスとの間の第1の写像関係を含んでいる出力制御パラメータセットを、基地局によってUEに送信するステップ
を特に含む、請求項9に記載の方法。
【請求項１１】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記出力制御パラメータセットを基地局によってUEに送信するステップは、
出力制御パラメータグループと出力制御グループ識別子との間の第2の写像関係を含む出力制御パラメータセットおよび第1の識別子を基地局によってUEに送信するステップ
を特に含み、
UEは、前記第1の識別子および前記第2の写像関係に従って前記第1の出力制御パラメータグループを決定する、請求項9に記載の方法。
【請求項１２】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記出力制御パラメータセットを基地局によってUEに送信するステップは、
所定のシーケンスに従って基地局によって設定された少なくとも2つの出力制御パラメータグループを含む出力制御パラメータセットおよび第2の識別子を基地局によってUEに送信するステップ
を特に含み、
UEは、前記第2の識別子および前記出力制御パラメータセットに従って前記第1の出力制御パラメータグループを決定する、請求項9に記載の方法。
【請求項１３】
前記少なくとも1つの出力制御パラメータグループは、1つの第2の出力制御パラメータグループおよび1つの第3の出力制御パラメータグループを含み、
前記出力制御パラメータセットを基地局によってUEに送信するステップは、
出力制御パラメータセットおよび第3の識別子を基地局によってUEに送信するステップ
を特に含み、
UEは、前記第3の識別子および前記出力制御パラメータセットに従って前記第1の出力制御パラメータグループを決定する、請求項9に記載の方法。
【請求項１４】
前記少なくとも1つの出力制御パラメータグループは、1つの第2の出力制御パラメータグループを含み、
前記出力制御パラメータセットを基地局によってUEに送信するステップは、
出力制御パラメータセットおよび第4の識別子を基地局によってUEに送信するステップ
を特に含み、
UEは、前記第4の識別子および前記出力制御パラメータセットに従って、前記第1の出力制御パラメータグループが第1の出力制御パラメータまたは第2の出力制御パラメータを含むと判断する、請求項9に記載の方法。
【請求項１５】
基地局によって送信され、少なくとも1つの出力制御パラメータグループを含んでおり、該出力制御パラメータグループは少なくとも1つの出力制御パラメータを含んでいる出力制御パラメータセットを、受信する受信モジュールと、
前記出力制御パラメータセットに従って第1の出力制御パラメータグループを決定する第1の決定モジュールと、
前記第1の出力制御パラメータグループ内の出力制御パラメータに従って、UEの送信出力を決定する第2の決定モジュールと
を備えるユーザ機器。
【請求項１６】
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または該第2の出力制御パラメータに対応する出力での送信をUEに対して指示するために使用される、請求項15に記載のユーザ機器。
【請求項１７】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信モジュールは、基地局によって送信された出力制御パラメータセットを受信するように特に構成され、該出力制御パラメータセットは、出力制御パラメータグループと通信サービスとの間の第1の写像関係を含んでおり、
前記第1の決定モジュールは、ユーザ機器によって開始される通信サービスおよび前記第1の写像関係に従って、前記第1の出力制御パラメータグループを決定するように特に構成されている、請求項16に記載のユーザ機器。
【請求項１８】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信モジュールは、基地局によって送信された出力制御パラメータセットおよび第1の識別子を受信するように特に構成され、前記出力制御パラメータセットは、出力制御パラメータグループと出力制御グループ識別子との間の第2の写像関係を含んでおり、
前記第1の決定モジュールは、前記第1の識別子および前記第2の写像関係に従って、前記第1の出力制御パラメータグループを決定するように特に構成されている、請求項16に記載のユーザ機器。
【請求項１９】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信モジュールは、基地局によって送信された出力制御パラメータセットおよび第2の識別子を受信するように特に構成され、前記出力制御パラメータセットは、所定のシーケンスに従って基地局によって設定された少なくとも2つの出力制御パラメータグループを含んでおり、
前記第1の決定モジュールは、前記第2の識別子および前記出力制御パラメータセットに従って、前記第1の出力制御パラメータグループを決定するように特に構成されている、請求項16に記載のユーザ機器。
【請求項２０】
前記少なくとも1つの出力制御パラメータグループは、1つの第2の出力制御パラメータグループおよび1つの第3の出力制御パラメータグループを含み、
前記受信モジュールは、基地局によって送信された出力制御パラメータセットおよび第3の識別子を受信するように特に構成され、
前記第1の決定モジュールは、前記第3の識別子および前記出力制御パラメータセットに従って、前記第1の出力制御パラメータグループを決定するように特に構成されている、請求項16に記載のユーザ機器。
【請求項２１】
前記少なくとも1つの出力制御パラメータグループは、1つの第2の出力制御パラメータグループを含み、
前記受信モジュールは、基地局によって送信された出力制御パラメータセットおよび第4の識別子を受信するように特に構成され、
前記第1の決定モジュールは、前記第4の識別子および前記出力制御パラメータセットに従って、前記第1の出力制御パラメータグループが第1の出力制御パラメータまたは第2の出力制御パラメータを含むと判断するように特に構成されている、請求項16に記載のユーザ機器。
【請求項２２】
少なくとも1つの出力制御パラメータグループを含んでおり、該出力制御パラメータグループは少なくとも1つの出力制御パラメータを含んでいる出力制御パラメータセットを、設定する設定モジュールと、
ユーザ機器UEにおいて前記出力制御パラメータセットに従って第1の出力制御パラメータグループを決定し、該第1の出力制御パラメータグループ内の出力制御パラメータに従ってUEの送信出力を決定するために、前記出力制御パラメータセットをUEに送信する送信モジュールと
を備える基地局。
【請求項２３】
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または該第2の出力制御パラメータに対応する出力での送信をUEに対して指示するために使用される、請求項22に記載の基地局。
【請求項２４】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信モジュールは、出力制御パラメータグループと通信サービスとの間の第1の写像関係を含んでいる出力制御パラメータセットをUEに送信するように特に構成されている、請求項23に記載の基地局。
【請求項２５】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信モジュールは、出力制御パラメータグループと出力制御グループ識別子との間の第2の写像関係を含んでいる出力制御パラメータセットおよび第1の識別子を、UEに送信するように特に構成されており、
UEは、前記第1の識別子および前記第2の写像関係に従って、前記第1の出力制御パラメータグループを決定する、請求項23に記載の基地局。
【請求項２６】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信モジュールは、所定のシーケンスに従って基地局によって設定された少なくとも2つの出力制御パラメータグループを含んでいる出力制御パラメータセットおよび第2の識別子をUEに送信するように特に構成されており、
UEは、前記第2の識別子および前記出力制御パラメータセットに従って、前記第1の出力制御パラメータグループを決定する、請求項23に記載の基地局。
【請求項２７】
前記少なくとも1つの出力制御パラメータグループは、1つの第2の出力制御パラメータグループおよび1つの第3の出力制御パラメータグループを含み、
前記送信モジュールは、出力制御パラメータセットおよび第3の識別子をUEに送信するように特に構成されており、
UEは、前記第3の識別子および前記出力制御パラメータセットに従って、前記第1の出力制御パラメータグループを決定する、請求項23に記載の基地局。
【請求項２８】
前記少なくとも1つの出力制御パラメータグループは、1つの第2の出力制御パラメータグループを含み、
前記送信モジュールは、出力制御パラメータセットおよび第4の識別子をUEに送信するように特に構成されており、
UEは、前記第4の識別子および前記出力制御パラメータセットに従って、前記第1の出力制御パラメータグループが第1の出力制御パラメータまたは第2の出力制御パラメータを含むと判断する、請求項23に記載の基地局。
【請求項２９】
基地局によって送信され、少なくとも1つの出力制御パラメータグループを含んでおり、該出力制御パラメータグループは少なくとも1つの出力制御パラメータを含んでいる出力制御パラメータセットを、受信する受信機と、
前記出力制御パラメータセットに従って第1の出力制御パラメータグループを決定し、該第1の出力制御パラメータグループ内の出力制御パラメータに従ってUEの送信出力を決定するプロセッサと
を備えるユーザ機器。
【請求項３０】
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または該第2の出力制御パラメータに対応する出力での送信をUEに対して指示するために使用される、請求項29に記載のユーザ機器。
【請求項３１】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信機は、基地局によって送信された出力制御パラメータセットを受信するように特に構成され、該出力制御パラメータセットは、出力制御パラメータグループと通信サービスとの間の第1の写像関係を含んでおり、
前記プロセッサは、ユーザ機器によって開始される通信サービスおよび前記第1の写像関係に従って、前記第1の出力制御パラメータグループを決定するように特に構成されている、請求項30に記載のユーザ機器。
【請求項３２】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信機は、基地局によって送信された出力制御パラメータセットおよび第1の識別子を受信するように特に構成され、前記出力制御パラメータセットは、出力制御パラメータグループと出力制御グループ識別子との間の第2の写像関係を含んでおり、
前記プロセッサは、前記第1の識別子および前記第2の写像関係に従って、前記第1の出力制御パラメータグループを決定するように特に構成されている、請求項30に記載のユーザ機器。
【請求項３３】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信機は、基地局によって送信された出力制御パラメータセットおよび第2の識別子を受信するように特に構成され、前記出力制御パラメータセットは、所定のシーケンスに従って基地局によって設定された少なくとも2つの出力制御パラメータグループを含んでおり、
前記プロセッサは、前記第2の識別子および前記出力制御パラメータセットに従って、前記第1の出力制御パラメータグループを決定するように特に構成されている、請求項30に記載のユーザ機器。
【請求項３４】
前記少なくとも1つの出力制御パラメータグループは、1つの第2の出力制御パラメータグループおよび1つの第3の出力制御パラメータグループを含み、
前記受信機は、基地局によって送信された出力制御パラメータセットおよび第3の識別子を受信するように特に構成され、
前記プロセッサは、前記第3の識別子および前記出力制御パラメータセットに従って、前記第1の出力制御パラメータグループを決定するように特に構成されている、請求項30に記載のユーザ機器。
【請求項３５】
前記少なくとも1つの出力制御パラメータグループは、1つの第2の出力制御パラメータグループを含み、
前記受信機は、基地局によって送信された出力制御パラメータセットおよび第4の識別子を受信するように特に構成され、
前記プロセッサは、前記第4の識別子および前記出力制御パラメータセットに従って、前記第1の出力制御パラメータグループが第1の出力制御パラメータまたは第2の出力制御パラメータを含むと判断するように特に構成されている、請求項30に記載のユーザ機器。
【請求項３６】
少なくとも1つの出力制御パラメータグループを含んでおり、該出力制御パラメータグループは少なくとも1つの出力制御パラメータを含んでいる出力制御パラメータセットを、設定するプロセッサと、
ユーザ機器UEにおいて前記出力制御パラメータセットに従って第1の出力制御パラメータグループを決定し、該第1の出力制御パラメータグループ内の出力制御パラメータに従ってUEの送信出力を決定するために、前記出力制御パラメータセットをUEに送信する送信機と
を備える基地局。
【請求項３７】
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または該第2の出力制御パラメータに対応する出力での送信をUEに対して指示するために使用される、請求項36に記載の基地局。
【請求項３８】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信機は、出力制御パラメータグループと通信サービスとの間の第1の写像関係を含んでいる出力制御パラメータセットをUEに送信するように特に構成されている、請求項37に記載の基地局。
【請求項３９】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信機は、出力制御パラメータグループと出力制御グループ識別子との間の第2の写像関係を含んでいる出力制御パラメータセットおよび第1の識別子を、UEに送信するように特に構成されており、
UEは、前記第1の識別子および前記第2の写像関係に従って、前記第1の出力制御パラメータグループを決定する、請求項37に記載の基地局。
【請求項４０】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信機は、所定のシーケンスに従って基地局によって設定された少なくとも2つの出力制御パラメータグループを含んでいる出力制御パラメータセットおよび第2の識別子をUEに送信するように特に構成されており、
UEは、前記第2の識別子および前記出力制御パラメータセットに従って、前記第1の出力制御パラメータグループを決定する、請求項37に記載の基地局。
【請求項４１】
前記少なくとも1つの出力制御パラメータグループは、1つの第2の出力制御パラメータグループおよび1つの第3の出力制御パラメータグループを含み、
前記送信機は、出力制御パラメータセットおよび第3の識別子をUEに送信するように特に構成されており、
UEは、前記第3の識別子および前記出力制御パラメータセットに従って、前記第1の出力制御パラメータグループを決定する、請求項37に記載の基地局。
【請求項４２】
前記少なくとも1つの出力制御パラメータグループは、1つの第2の出力制御パラメータグループを含み、
前記送信機は、出力制御パラメータセットおよび第4の識別子をUEに送信するように特に構成されており、
UEは、前記第4の識別子および前記出力制御パラメータセットに従って、前記第1の出力制御パラメータグループが第1の出力制御パラメータまたは第2の出力制御パラメータを含むと判断する、請求項37に記載の基地局。
【発明の詳細な説明】
【技術分野】
【０００１】
本発明は、通信技術に関し、特に出力制御方法、ユーザ機器、および基地局に関する。
【背景技術】
【０００２】
ユーザ機器間の近接サービス（Device to Device Proximity Service、以下ではD2D ProSeと略す）が、3GPP LTEシステムのRel．12システムの研究対象となっており、Rel．12システムから始まるシステムにおいてサポートされている。LTEシステムは幅広く適用されているため、LTEシステムの物理層を、LTEシステムのサービス範囲を強化できるだけでなく、ユーザ機器の直接接続（Device to Device、以下ではD2Dと略す）の応用をより多くのユーザにとって使用可能にすることもできるユーザ機器の直接接続サービスを提供するために使用することができる。距離に応じて、D2D通信サービスを、長距離通信サービス、中距離通信サービス、および短距離通信サービスに分類することができる。長距離通信サービスにおいては、UEの送信出力を大きくする必要があり、短距離通信サービスにおいては、UEの送信出力を小さくする必要があり、中距離通信サービスにおいては、UEの送信出力を上記2つの出力の間にする必要がある。
【０００３】
より良好なD2D通信品質をユーザに提供できるようにし、ユーザ機器（User Equipment、以下ではUEと略す）によるD2D信号の送信のための出力がUEが許容する最大送信出力を超えないようにするために、UEがD2D信号を送信するときに送信出力を制御することが必要である。しかしながら、先行技術の開ループ出力制御および閉ループ出力制御は、D2D通信システムにおける直接の使用に適していない。例えば、長距離通信サービスがUEによって開始されるが、先行技術における半静的または静的なパラメータ設定によって制御されるUEの送信出力は低出力であり、したがってUEの通信距離を保証することができない。
【発明の概要】
【課題を解決するための手段】
【０００４】
本発明は、先行技術の出力制御ではUEの通信距離を保証することができないという技術的課題を解決するための出力制御方法、ユーザ機器、および基地局を提供する。
【０００５】
第1の態様によれば、本発明は、
基地局によって送信され、少なくとも1つの出力制御パラメータグループを含んでおり、該出力制御パラメータグループは少なくとも1つの出力制御パラメータを含んでいる出力制御パラメータセットを、ユーザ機器UEによって受信するステップと、
UEによって、前記出力制御パラメータセットに従って、第1の出力制御パラメータグループを決定するステップと、
UEによって、前記第1の出力制御パラメータグループ内の出力制御パラメータに従って、UEの送信出力を決定するステップと
を含む出力制御方法を提供する。
【０００６】
第1の態様に関し、第1の態様の第1の考えられる実施方法において、
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、ここで前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または第2の出力制御パラメータに対応する出力での送信をUEに対して指示するために使用される。
【０００７】
第1の態様の第1の考えられる実施方法に関し、第1の態様の第2の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
基地局によって送信された出力制御パラメータセットを機器UEによって受信するステップは、
基地局によって送信され、出力制御パラメータグループと通信サービスとの間の第1の写像関係を含んでいる出力制御パラメータセットを、UEによって受信するステップ
を特に含み、
UEによって前記出力制御パラメータセットに従って第1の出力制御パラメータグループを決定するステップは、
UEによって開始される通信サービスおよび前記第1の写像関係に従って、前記第1の出力制御パラメータグループをUEによって決定するステップ
を特に含む。
【０００８】
第1の態様の第1の考えられる実施方法に関し、第1の態様の第3の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
基地局によって送信された出力制御パラメータセットをUEによって受信するステップは、
基地局によって送信された出力制御パラメータセットおよび第1の識別子をUEによって受信するステップであって、該出力制御パラメータセットは、出力制御パラメータグループと出力制御グループ識別子との間の第2の写像関係を含んでいるステップ
を特に含み、
UEによって前記出力制御パラメータセットに従って第1の出力制御パラメータグループを決定するステップは、
前記第1の識別子および前記第2の写像関係に従って、前記第1の出力制御パラメータグループをUEによって決定するステップ
を特に含む。
【０００９】
第1の態様の第1の考えられる実施方法に関し、第1の態様の第4の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
基地局によって送信された出力制御パラメータセットをUEによって受信するステップは、
基地局によって送信された出力制御パラメータセットおよび第2の識別子をUEによって受信するステップであって、該出力制御パラメータセットは、所定のシーケンスに従って基地局によって設定された少なくとも2つの出力制御パラメータグループを含んでいるステップ
を特に含み、
UEによって前記出力制御パラメータセットに従って第1の出力制御パラメータグループを決定するステップは、
前記第2の識別子および前記出力制御パラメータセットに従って、前記第1の出力制御パラメータグループをUEによって決定するステップ
を特に含む。
【００１０】
第1の態様の第1の考えられる実施方法に関し、第1の態様の第5の考えられる実施方法において、
前記少なくとも1つの出力制御パラメータグループは、1つの第2の出力制御パラメータグループおよび1つの第3の出力制御パラメータグループを含み、
基地局によって送信された出力制御パラメータセットをUEによって受信するステップは、
基地局によって送信された出力制御パラメータセットおよび第3の識別子をUEによって受信するステップ
を特に含み、
UEによって前記出力制御パラメータセットに従って第1の出力制御パラメータグループを決定するステップは、
前記第3の識別子および前記出力制御パラメータセットに従って、前記第1の出力制御パラメータグループをUEによって決定するステップ
を特に含む。
【００１１】
第1の態様の第1の考えられる実施方法に関し、第1の態様の第6の考えられる実施方法において、
前記少なくとも1つの出力制御パラメータグループは、1つの第2の出力制御パラメータグループを含み、
基地局によって送信された出力制御パラメータセットをUEによって受信するステップは、
基地局によって送信された出力制御パラメータセットおよび第4の識別子をUEによって受信するステップ
を特に含み、
UEによって前記出力制御パラメータセットに従って第1の出力制御パラメータグループを決定するステップは、
前記第4の識別子および前記出力制御パラメータセットに従って、前記第1の出力制御パラメータグループが第1の出力制御パラメータまたは第2の出力制御パラメータを含むとUEによって判断するステップ
を特に含む。
【００１２】
第2の態様によれば、本発明は、
出力制御パラメータセットを基地局によって設定するステップであって、該出力制御パラメータセットは、少なくとも1つの出力制御パラメータグループを含み、該出力制御パラメータグループは、少なくとも1つの出力制御パラメータを含むステップと、
ユーザ機器UEにおいて前記出力制御パラメータセットに従って第1の出力制御グループを決定し、該第1の出力制御パラメータグループ内の出力制御パラメータに従ってUEの送信出力を決定するために、前記出力制御パラメータセットを基地局によってUEに送信するステップと
を含む出力制御方法を提供する。
【００１３】
第2の態様に関し、第2の態様の第1の考えられる実施方法において、
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、ここで前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または第2の出力制御パラメータに対応する出力での送信をUEに対して指示するために使用される。
【００１４】
第2の態様の第1の考えられる実施方法に関し、第2の態様の第2の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記出力制御パラメータセットを基地局によってUEに送信するステップは、
出力制御パラメータグループと通信サービスとの間の第1の写像関係を含んでいる出力制御パラメータセットを、基地局によってUEに送信するステップ
を特に含む。
【００１５】
第2の態様の第1の考えられる実施方法に関し、第2の態様の第3の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記出力制御パラメータセットを基地局によってUEに送信するステップは、
出力制御パラメータグループと出力制御グループ識別子との間の第2の写像関係を含む出力制御パラメータセットおよび第1の識別子を基地局によってUEに送信するステップ
を特に含み、
UEは、前記第1の識別子および前記第2の写像関係に従って前記第1の出力制御パラメータグループを決定する。
【００１６】
第2の態様の第1の考えられる実施方法に関し、第2の態様の第4の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記出力制御パラメータセットを基地局によってUEに送信するステップは、
所定のシーケンスに従って基地局によって設定された少なくとも2つの出力制御パラメータグループを含む出力制御パラメータセットおよび第2の識別子を基地局によってUEに送信するステップ
を特に含み、
UEは、前記第2の識別子および前記出力制御パラメータセットに従って前記第1の出力制御パラメータグループを決定する。
【００１７】
第2の態様の第1の考えられる実施方法に関し、第2の態様の第5の考えられる実施方法において、
前記少なくとも1つの出力制御パラメータグループは、1つの第2の出力制御パラメータグループおよび1つの第3の出力制御パラメータグループを含み、
前記出力制御パラメータセットを基地局によってUEに送信するステップは、
出力制御パラメータセットおよび第3の識別子を基地局によってUEに送信するステップ
を特に含み、
UEは、前記第3の識別子および前記出力制御パラメータセットに従って前記第1の出力制御パラメータグループを決定する。
【００１８】
第2の態様の第1の考えられる実施方法に関し、第2の態様の第6の考えられる実施方法において、
前記少なくとも1つの出力制御パラメータグループは、1つの第2の出力制御パラメータグループを含み、
前記出力制御パラメータセットを基地局によってUEに送信するステップは、
出力制御パラメータセットおよび第4の識別子を基地局によってUEに送信するステップ
を特に含み、
UEは、前記第4の識別子および前記出力制御パラメータセットに従って、前記第1の出力制御パラメータグループが第1の出力制御パラメータまたは第2の出力制御パラメータを含むと判断する。
【００１９】
第3の態様によれば、本発明は、
基地局によって送信され、少なくとも1つの出力制御パラメータグループを含んでおり、該出力制御パラメータグループは少なくとも1つの出力制御パラメータを含んでいる出力制御パラメータセットを、受信する受信モジュールと、
前記出力制御パラメータセットに従って第1の出力制御パラメータグループを決定する第1の決定モジュールと、
前記第1の出力制御パラメータグループ内の出力制御パラメータに従って、UEの送信出力を決定する第2の決定モジュールと
を備えるユーザ機器を提供する。
【００２０】
第3の態様に関し、第3の態様の第1の考えられる実施方法において、
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、ここで前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または第2の出力制御パラメータに対応する出力での送信をUEに対して指示するために使用される。
【００２１】
第3の態様の第1の考えられる実施方法に関し、第3の態様の第2の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信モジュールは、基地局によって送信された出力制御パラメータセットを受信するように特に構成され、該出力制御パラメータセットは、出力制御パラメータグループと通信サービスとの間の第1の写像関係を含んでおり、
前記第1の決定モジュールは、ユーザ機器によって開始される通信サービスおよび前記第1の写像関係に従って、前記第1の出力制御パラメータグループを決定するように特に構成される。
【００２２】
第3の態様の第1の考えられる実施方法に関し、第3の態様の第3の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信モジュールは、基地局によって送信された出力制御パラメータセットおよび第1の識別子を受信するように特に構成され、前記出力制御パラメータセットは、出力制御パラメータグループと出力制御グループ識別子との間の第2の写像関係を含んでおり、
前記第1の決定モジュールは、前記第1の識別子および前記第2の写像関係に従って、前記第1の出力制御パラメータグループを決定するように特に構成される。
【００２３】
第3の態様の第1の考えられる実施方法に関し、第3の態様の第4の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信モジュールは、基地局によって送信された出力制御パラメータセットおよび第2の識別子を受信するように特に構成され、前記出力制御パラメータセットは、所定のシーケンスに従って基地局によって設定された少なくとも2つの出力制御パラメータグループを含んでおり、
前記第1の決定モジュールは、前記第2の識別子および前記出力制御パラメータセットに従って、前記第1の出力制御パラメータグループを決定するように特に構成される。
【００２４】
第3の態様の第1の考えられる実施方法に関し、第3の態様の第5の考えられる実施方法において、
前記少なくとも1つの出力制御パラメータグループは、1つの第2の出力制御パラメータグループおよび1つの第3の出力制御パラメータグループを含み、
前記受信モジュールは、基地局によって送信された出力制御パラメータセットおよび第3の識別子を受信するように特に構成され、
前記第1の決定モジュールは、前記第3の識別子および前記出力制御パラメータセットに従って、前記第1の出力制御パラメータグループを決定するように特に構成される。
【００２５】
第3の態様の第1の考えられる実施方法に関し、第3の態様の第6の考えられる実施方法において、
前記少なくとも1つの出力制御パラメータグループは、1つの第2の出力制御パラメータグループを含み、
前記受信モジュールは、基地局によって送信された出力制御パラメータセットおよび第4の識別子を受信するように特に構成され、
前記第1の決定モジュールは、前記第4の識別子および前記出力制御パラメータセットに従って、前記第1の出力制御パラメータグループが第1の出力制御パラメータまたは第2の出力制御パラメータを含むと判断するように特に構成される。
【００２６】
第4の態様によれば、本発明は、
少なくとも1つの出力制御パラメータグループを含んでおり、該出力制御パラメータグループは少なくとも1つの出力制御パラメータを含んでいる出力制御パラメータセットを、設定する設定モジュールと、
ユーザ機器UEにおいて前記出力制御パラメータセットに従って第1の出力制御パラメータグループを決定し、該第1の出力制御パラメータグループ内の出力制御パラメータに従ってUEの送信出力を決定するために、前記出力制御パラメータセットをUEに送信する送信モジュールと
を含んでいる基地局を提供する。
【００２７】
第4の態様に関し、第4の態様の第1の考えられる実施方法において、
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、ここで前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または第2の出力制御パラメータに対応する出力での送信をUEに対して指示するために使用される。
【００２８】
第4の態様の第1の考えられる実施方法に関し、第4の態様の第2の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信モジュールは、出力制御パラメータグループと通信サービスとの間の第1の写像関係を含んでいる出力制御パラメータセットをUEに送信するように特に構成される。
【００２９】
第4の態様の第1の考えられる実施方法に関し、第4の態様の第3の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信モジュールは、出力制御パラメータグループと出力制御グループ識別子との間の第2の写像関係を含んでいる出力制御パラメータセットおよび第1の識別子を、UEに送信するように特に構成され、
UEは、前記第1の識別子および前記第2の写像関係に従って、前記第1の出力制御パラメータグループを決定する。
【００３０】
第4の態様の第1の考えられる実施方法に関し、第4の態様の第4の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信モジュールは、所定のシーケンスに従って基地局によって設定された少なくとも2つの出力制御パラメータグループを含んでいる出力制御パラメータセットおよび第2の識別子をUEに送信するように特に構成され、
UEは、前記第2の識別子および前記出力制御パラメータセットに従って、前記第1の出力制御パラメータグループを決定する。
【００３１】
第4の態様の第1の考えられる実施方法に関し、第4の態様の第5の考えられる実施方法において、
前記少なくとも1つの出力制御パラメータグループは、1つの第2の出力制御パラメータグループおよび1つの第3の出力制御パラメータグループを含み、
前記送信モジュールは、出力制御パラメータセットおよび第3の識別子をUEに送信するように特に構成され、
UEは、前記第3の識別子および前記出力制御パラメータセットに従って、前記第1の出力制御パラメータグループを決定する。
【００３２】
第4の態様の第1の考えられる実施方法に関し、第4の態様の第6の考えられる実施方法において、
前記少なくとも1つの出力制御パラメータグループは、1つの第2の出力制御パラメータグループを含み、
前記送信モジュールは、出力制御パラメータセットおよび第4の識別子をUEに送信するように特に構成され、
UEは、前記第4の識別子および前記出力制御パラメータセットに従って、前記第1の出力制御パラメータグループが第1の出力制御パラメータまたは第2の出力制御パラメータを含むと判断する。
【００３３】
第5の態様によれば、本発明は、
基地局によって送信され、少なくとも1つの出力制御パラメータグループを含んでおり、該出力制御パラメータグループは少なくとも1つの出力制御パラメータを含んでいる出力制御パラメータセットを、受信する受信機と、
前記出力制御パラメータセットに従って第1の出力制御パラメータグループを決定し、該第1の出力制御パラメータグループ内の出力制御パラメータに従ってUEの送信出力を決定するプロセッサと
を含むユーザ機器を提供する。
【００３４】
第5の態様に関し、第5の態様の第1の考えられる実施方法において、
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、ここで前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または第2の出力制御パラメータに対応する出力での送信をUEに対して指示するために使用される。
【００３５】
第5の態様の第1の考えられる実施方法に関し、第5の態様の第2の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信機は、基地局によって送信された出力制御パラメータセットを受信するように特に構成され、該出力制御パラメータセットは、出力制御パラメータグループと通信サービスとの間の第1の写像関係を含んでおり、
前記プロセッサは、ユーザ機器によって開始される通信サービスおよび前記第1の写像関係に従って、前記第1の出力制御パラメータグループを決定するように特に構成される。
【００３６】
第5の態様の第1の考えられる実施方法に関し、第5の態様の第3の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信機は、基地局によって送信された出力制御パラメータセットおよび第1の識別子を受信するように特に構成され、前記出力制御パラメータセットは、出力制御パラメータグループと出力制御グループ識別子との間の第2の写像関係を含んでおり、
前記プロセッサは、前記第1の識別子および前記第2の写像関係に従って、前記第1の出力制御パラメータグループを決定するように特に構成される。
【００３７】
第5の態様の第1の考えられる実施方法に関し、第5の態様の第4の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信機は、基地局によって送信された出力制御パラメータセットおよび第2の識別子を受信するように特に構成され、前記出力制御パラメータセットは、所定のシーケンスに従って基地局によって設定された少なくとも2つの出力制御パラメータグループを含んでおり、
前記プロセッサは、前記第2の識別子および前記出力制御パラメータセットに従って、前記第1の出力制御パラメータグループを決定するように特に構成される。
【００３８】
第5の態様の第1の考えられる実施方法に関し、第5の態様の第5の考えられる実施方法において、
前記少なくとも1つの出力制御パラメータグループは、1つの第2の出力制御パラメータグループおよび1つの第3の出力制御パラメータグループを含み、
前記受信機は、基地局によって送信された出力制御パラメータセットおよび第3の識別子を受信するように特に構成され、
前記プロセッサは、前記第3の識別子および前記出力制御パラメータセットに従って、前記第1の出力制御パラメータグループを決定するように特に構成される。
【００３９】
第5の態様の第1の考えられる実施方法に関し、第5の態様の第6の考えられる実施方法において、
前記少なくとも1つの出力制御パラメータグループは、1つの第2の出力制御パラメータグループを含み、
前記受信機は、基地局によって送信された出力制御パラメータセットおよび第4の識別子を受信するように特に構成され、
前記プロセッサは、前記第4の識別子および前記出力制御パラメータセットに従って、前記第1の出力制御パラメータグループが第1の出力制御パラメータまたは第2の出力制御パラメータを含むと判断するように特に構成される。
【００４０】
第6の態様によれば、本発明は、
少なくとも1つの出力制御パラメータグループを含んでおり、該出力制御パラメータグループは少なくとも1つの出力制御パラメータを含んでいる出力制御パラメータセットを、設定するプロセッサと、
ユーザ機器UEにおいて前記出力制御パラメータセットに従って第1の出力制御パラメータグループを決定し、該第1の出力制御パラメータグループ内の出力制御パラメータに従ってUEの送信出力を決定するために、前記出力制御パラメータセットをUEに送信する送信機と
を含んでいる基地局を提供する。
【００４１】
第6の態様に関し、第6の態様の第1の考えられる実施方法において、
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、ここで前記第2の出力制御パラメータグループは、少なくとも1つの第1の出力制御パラメータを含み、前記第3の出力制御グループは、第2の出力制御パラメータを含み、前記第2の出力制御パラメータは、UEが許容する最大送信出力での送信をUEに対して指示するために使用され、または第2の出力制御パラメータに対応する出力での送信をUEに対して指示するために使用される。
【００４２】
第6の態様の第1の考えられる実施方法に関し、第6の態様の第2の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信機は、出力制御パラメータグループと通信サービスとの間の第1の写像関係を含んでいる出力制御パラメータセットをUEに送信するように特に構成される。
【００４３】
第6の態様の第1の考えられる実施方法に関し、第6の態様の第3の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信機は、出力制御パラメータグループと出力制御グループ識別子との間の第2の写像関係を含んでいる出力制御パラメータセットおよび第1の識別子を、UEに送信するように特に構成され、
UEは、前記第1の識別子および前記第2の写像関係に従って、前記第1の出力制御パラメータグループを決定する。
【００４４】
第6の態様の第1の考えられる実施方法に関し、第6の態様の第4の考えられる実施方法において、
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記送信機は、所定のシーケンスに従って基地局によって設定された少なくとも2つの出力制御パラメータグループを含んでいる出力制御パラメータセットおよび第2の識別子をUEに送信するように特に構成され、
UEは、前記第2の識別子および前記出力制御パラメータセットに従って、前記第1の出力制御パラメータグループを決定する。
【００４５】
第6の態様の第1の考えられる実施方法に関し、第6の態様の第5の考えられる実施方法において、
前記少なくとも1つの出力制御パラメータグループは、1つの第2の出力制御パラメータグループおよび1つの第3の出力制御パラメータグループを含み、
前記送信機は、出力制御パラメータセットおよび第3の識別子をUEに送信するように特に構成され、
UEは、前記第3の識別子および前記出力制御パラメータセットに従って、前記第1の出力制御パラメータグループを決定する。
【００４６】
第6の態様の第1の考えられる実施方法に関し、第6の態様の第6の考えられる実施方法において、
前記少なくとも1つの出力制御パラメータグループは、1つの第2の出力制御パラメータグループを含み、
前記送信機は、出力制御パラメータセットおよび第4の識別子をUEに送信するように特に構成され、
UEは、前記第4の識別子および前記出力制御パラメータセットに従って、前記第1の出力制御パラメータグループが第1の出力制御パラメータまたは第2の出力制御パラメータを含むと判断する。
【００４７】
本発明の実施形態によって提供される出力制御方法、ユーザ機器、および基地局によれば、UEが、基地局によって送信される出力制御パラメータセットを受信し、出力制御パラメータセットに従って第1の出力制御パラメータグループを決定し、したがってUEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスを満足させる送信出力を計算によって求め、したがってUEの通信距離が保証される。
【００４８】
本発明の実施形態または先行技術における技術的解決策をより明瞭に説明するために、実施形態または先行技術の説明に必要な添付の図面を、以下で簡単に紹介する。当然ながら、添付の図面は、以下の説明において、本発明の一部の実施形態を示しており、当業者であれば、依然として、創造的な活動を必要とすることなくこれらの添付の図面から他の図を導き出すことが可能である。
【図面の簡単な説明】
【００４９】
【図１】本発明による出力制御方法の第1の実施形態の概略のフロー図である。
【図２】本発明による出力制御方法の第2の実施形態の概略のフロー図である。
【図３】本発明によるユーザ機器の第1の実施形態の概略の構造図である。
【図４】本発明による基地局の第1の実施形態の概略の構造図である。
【図５】本発明によるユーザ機器の第2の実施形態の概略の構造図である。
【図６】本発明による基地局の第2の実施形態の概略の構造図である。
【発明を実施するための形態】
【００５０】
本発明の実施形態の目的、技術的解決策、および利点をさらに明瞭にするために、以下で、本発明の実施形態における技術的解決策を、本発明の実施形態における添付の図面を参照して、明確かつ充分に説明する。当然ながら、説明される実施形態は、本発明の実施形態の一部であり、すべてではない。当業者が本発明の実施形態に基づいて創造的な活動を必要とすることなく得ることができるすべての他の実施形態は、本発明の保護の範囲に含まれる。
【００５１】
本出願におけるユーザ機器、すなわち端末は、無線端末または有線端末であってよい。無線端末は、ユーザに音声および／またはデータに係る接続を提供する機器、無線接続機能を有する携帯デバイス、または無線通信モデムに接続された他の処理装置を指すことができる。無線端末は、無線アクセスネットワーク（RAN（Radio Access Network）など）を介して1つ以上のコアネットワークと通信することができる。無線端末は、例えば、携帯電話機（「セルラー」フォンとも称される）などの移動端末ならびに移動端末を備えるコンピュータであってよく、無線アクセスネットワークと音声および／またはデータを交換する可搬であり、ポケットサイズであり、手持ちでき、コンピュータに組み込まれ、あるいは車載される移動式装置であってよい。例えば、パーソナル通信サービス（PCS、Personal Communication Service）フォン、コードレス電話機、セッション初期化プロトコル（SIP）フォン、ワイヤレスローカルループ（WLL、Wireless Local Loop）局、または携帯情報端末（PDA、Personal Digital Assistant）などの機器であってよい。無線端末を、システム、加入者ユニット（Subscriber Unit）、加入者局（Subscriber Station）、移動局（Mobile Station）、移動端末（Mobile）、リモートステーション（Remote Station）、アクセスポイント（Access Point）、リモート端末（Remote Terminal）、アクセス端末（Access Terminal）、ユーザ端末（User Terminal）、ユーザエージェント（User Agent）、ユーザデバイス（User Device）、またはユーザ機器（User Equipment）と呼ぶこともできる。
【００５２】
本出願における基地局（例えば、アクセスポイント）は、アクセスネットワーク内のエアインターフェイスに位置する1つ以上のセクタを介して無線端末と通信する機器を指すことができる。基地局を、受信した無線フレームおよびIPパケットを相互に変換し、無線端末とアクセスネットワークの残り部分との間のルータとして機能するように構成することができ、ここでアクセスネットワークの残り部分は、インターネットプロトコル（IP）ネットワークを含むことができる。基地局は、エアインターフェイスの属性管理を調整することもできる。例えば、基地局は、GSM(登録商標)またはCDMAにおける基地局（BTS、Base Transceiver Station）であってよく、WCDMA(登録商標)における基地局（NodeB）であってもよく、さらにはLTEにおけるエボルブドNodeB（NodeB、eNB、またはe−NodeB、evoled NodeB）であってよく、本出願において限定されない。
【００５３】
本発明の実施形態によって提供される方法は、D2D通信システムに適用可能である。距離に応じて、D2Dシステムにおける通信サービスを、長距離通信サービス、中距離通信サービス、および短距離通信サービスに分類することができる。長距離通信サービスにおいては、UEの送信出力を大きくする必要があり、短距離通信サービスにおいては、UEの送信出力を小さくする必要があり、中距離通信サービスにおいては、UEの送信出力を上記2つの出力の間にする必要がある。すなわち、異なる距離の通信サービスは、UEの送信出力に関して異なる要件を有する。
【００５４】
図1は、本発明による出力制御方法の第1の実施形態の概略のフロー図である。図1に示されるとおり、本方法は、以下を含む。
【００５５】
S101．UEが、基地局によって送信される出力制御パラメータセットを受信し、ここで出力制御パラメータセットは、少なくとも1つの出力制御パラメータグループを含み、出力制御パラメータグループは、少なくとも1つの出力制御パラメータを含む。
【００５６】
具体的には、基地局が、前もって出力制御パラメータセットを設定し、ここで出力制御パラメータセットは、少なくとも1つの出力制御パラメータグループを含むことができ、出力制御パラメータグループは、少なくとも1つの出力制御パラメータを含む。出力制御パラメータセットの設定の完了後に、基地局は、出力制御パラメータセットをUEに送信する。随意により、基地局は、UEが上位層信号を使用することによって出力制御パラメータセットを取得できるように、出力制御パラメータセットを運ぶ上位層信号をUEに送信することができる。随意により、上位層信号は、システム情報ブロック（System Information Block、以下ではSIBと略す）信号または無線リソース制御プロトコル（Radio Resource Control、以下ではRRCと略す）信号であってよい。
【００５７】
出力制御パラメータセットは、UEがUEの送信出力を計算するために必要とする出力制御パラメータの組である。これらのパラメータは、出力制御パラメータグループの形態で出力制御パラメータセットに存在することができる。
【００５８】
S102．UEは、出力制御パラメータセットに従って第1の出力制御パラメータグループを決定する。
【００５９】
S103．UEは、第1の出力制御パラメータグループ内の出力制御パラメータに従ってUEの送信出力を決定する。
【００６０】
具体的には、出力制御パラメータセットは、少なくとも1つの出力制御パラメータグループを含むことができ、すなわち出力制御パラメータセットは、1つ以上の出力制御パラメータグループを含むことができる。
【００６１】
出力制御パラメータセットが複数の出力制御パラメータグループを含む場合、UEは、複数の出力制御パラメータグループから1つの出力制御パラメータグループを第1の出力制御パラメータグループとして選択することができる。随意により、UEは、UEによって開始されるサービスが長距離通信サービスであるか、中距離通信サービスであるか、短距離通信サービスであるか、または緊急サービスであるかに従って、出力制御パラメータセット内のどの出力制御パラメータグループがUEによって第1の出力制御パラメータグループとして選択されるかを、決定することができる。随意により、UEは、基地局からの指示に従って複数の出力制御パラメータグループから1つの出力制御パラメータグループを第1の出力制御パラメータグループとしてさらに選択することができる。すなわち、第1の出力制御パラメータグループ内の出力制御パラメータは、UEによって現時点において開始される通信サービスに適する。UEが第1の出力制御パラメータグループ内の出力制御パラメータに従って決定される送信出力を使用する場合、UEの現在の通信距離を保証することができる。
【００６２】
出力制御パラメータセットが1つの出力制御パラメータグループを含む場合、UEは、その出力制御パラメータグループを第1の出力制御パラメータグループとして使用する。随意により、第1の出力制御パラメータグループ内の出力制御パラメータは、UEによって送信に使用されるべき出力を示す値であってよい。この値は、UEによって現時点において開始されるサービスの種類に基づいてUEのための基地局によって設定される。すなわち、UEが、第1の出力制御パラメータグループ内の出力制御パラメータを使用することによって、UEによって現時点において開始されるサービスに適した送信出力を決定できる場合、UEの現在の通信距離をやはり保証することができる。
【００６３】
先行技術における出力制御のための開ループ出力制御および閉ループ出力制御を使用すると、基地局がUEのために静的または半静的な出力制御パラメータのグループを1つだけ設定し、したがって出力制御パラメータのグループに従ってUEによって決定される出力は、個々の状況のもとで固定となる。しかしながら、UEによって現時点において開始されるサービスが長距離通信サービスであるときに、低い送信出力が、この場合においてUEについて基地局によって設定された静的または半静的な出力制御パラメータに従って、UEによる計算を通じて得られる。したがって、UEは、UEの送信出力が高い出力に増加する前に、いくつかの長い動的な信号プロセスを経なければならない（長い時間が消費される）。結果として、UEの現在の通信距離を満足する送信出力を決定するために長い時間がかかり、ユーザの通信品質に悪影響が及ぶ。さらに、P0およびPLc（P0は基地局によって信号を受信するための目標出力であり、PLcはUEによって推定されるUEと基地局との間の経路損失である）が開ループ出力制御および閉ループ出力制御における出力制御パラメータに含まれるため、UEと基地局との間の距離が短く、PLcが小さい場合、低い送信出力が、基地局によって設定された静的または半静的な出力制御パラメータに従ったUEによる計算を通じてやはり得られ、UEの通信距離を保証することができない。
【００６４】
本発明の実施形態によって提供される出力制御方法においては、UEが、基地局によって送信される出力制御パラメータセットを受信し、出力制御パラメータセットに従って第1の出力制御パラメータグループを決定し、したがってUEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスを満足させる送信出力を計算によって求め、したがってUEの通信距離が保証される。
【００６５】
さらに、少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含むことができ、ここで第2の出力制御パラメータグループは、少なくとも1つの第1の出力制御パラメータを含み、第3の出力制御グループは、第2の出力制御パラメータを含み、第2の出力制御パラメータは、UEが許容する最大送信出力（例えば、PcmaxまたはPpower_class）での送信をUEに対して指示するために使用され、または第2の出力制御パラメータに対応する出力での送信をUEに対して指示するために使用される。
【００６６】
具体的には、3つの場合が存在し得る。
【００６７】
その1：少なくとも1つの出力制御パラメータグループが、少なくとも1つの第2の出力制御パラメータグループを含み、各々の第2の出力制御パラメータグループは、少なくとも1つの第1の出力制御パラメータを含むことができ、ここで第1の出力制御パラメータは、変数と考えられてよく、各々の第2の出力制御パラメータグループに含まれる変数の種類は同じであるが、変数の値は異なる。以下は、2つの第2の出力制御パラメータグループを含む出力制御パラメータセットを、説明のための例として使用する。
【００６８】
例えば、D2D信号のための出力制御の式は、以下のとおり、すなわちPD2D＝PO＋α・PL＋Δ（式1）であり、ここでPD2Dは、UEによってD2D信号を送信するための送信出力であり、POは、基地局による信号の受信についての目標出力であり、α∈｛0，0．4，0．5，0．6，0．7，0．8，0．9，1｝は、経路損失補償係数であり、PLは、UEによる計算によって得られる該当の基地局からUEまでの経路損失である。PL＝システムによる基準信号の送信における送信出力−UEによって検出される基準信号の受信出力である。Δは、出力制御のためのオフセットパラメータ値である。
【００６９】
したがって、1つの第2の出力制御パラメータグループは、3つの第1の出力制御パラメータ｛PO，α，Δ｝を含むことができ、ここで3つの第1の出力制御パラメータはいずれも変数であり、または2つの第1の出力制御パラメータ｛PO，α｝を含むことができ（これは、Δ＝0であり、したがってPD2D＝PO＋α・PLであり、2つの変数POおよびαだけが式中に存在する場合である）、またはただ1つの第1の出力制御パラメータPOを含むことができる（これは、Δ＝0であり、α＝1であり、したがってPD2D＝PO＋PLであり、ただ1つの変数POが式中に存在する場合である）。したがって、2つの第2の出力制御パラメータグループにおける違いは、2つの第2の出力制御パラメータグループ内の第1の出力制御パラメータの値の違いとして表される。例えば、第2の出力制御パラメータグループのうちの第1の第2の出力制御パラメータグループにおける第1の出力制御パラメータが、特に｛PO＝−80dBm｝であり、第2の出力制御パラメータグループのうちの第2の第2の出力制御パラメータグループにおける第1の出力制御パラメータが、特に｛PO＝−90dBm｝である。
【００７０】
以下の例においては、説明のために、ただ1つの第1の出力制御パラメータ（PO）だけを含む第2の出力制御パラメータグループが使用されることに、注意すべきである。実際には、基地局の構成に応じて、両方の第2の出力制御パラメータグループが3つの第1の出力制御パラメータ（｛PO，α，Δ｝）を含んでよく、2つの第2の出力制御パラメータグループの3つの第1の出力制御パラメータの値が互いに異なってよく、または値のいくつかが同じであってもよく、両方の第2の出力制御パラメータグループが2つの第1の出力制御パラメータ（｛PO，α｝）を含んでもよく、2つの第2の出力制御パラメータグループの2つの第1の出力制御パラメータの値が互いに異なってよく、または値のいくつかが同じであってもよい。
【００７１】
したがって、UEが2つの第2の出力制御パラメータグループを含む出力制御パラメータセットを受信する場合、UEは、2つの第2の出力制御パラメータグループから或る第2の出力制御パラメータグループを第1の出力制御パラメータグループとして選択し、第1の出力制御パラメータグループ内の第1の出力制御パラメータに従ってUEの送信出力を決定する。
【００７２】
その2：少なくとも1つの出力制御パラメータグループが、少なくとも1つの第3の出力制御パラメータグループおよび少なくとも1つの第2の出力制御パラメータグループを含み、ここで第2の出力制御パラメータグループは、その1の場合において説明したように、少なくとも1つの第1の出力制御パラメータを含み、第3の出力制御グループは、第2の出力制御パラメータを含み、第2の出力制御パラメータは、UEが許容する最大送信出力（例えば、PcmaxまたはPpower_class）での送信をUEに対して指示するために使用され、または第2の出力制御パラメータに対応する出力での送信をUEに対して指示するために使用される。ここで、1つの第3の出力制御パラメータグループおよび1つの第2の出力制御パラメータグループを含む出力制御パラメータセットが、説明のための例として使用される。
【００７３】
具体的には、第3の出力制御パラメータグループに含まれる第2の出力制御パラメータは、UEの要求に従ってUEのために基地局によって設定される送信出力の特定の出力値であってよく（この出力に従ってUEによって設定される送信出力が、UEの現在のサービスに適する）、またはUEが許容する最大送信出力（例えば、PcmaxまたはPpower_class）での送信をUEに対して指示するための識別子であってよい（UEがこの識別子を認識したとき、UEはUEが許容する最大送信出力で信号を送信する）。第2の出力制御パラメータグループの詳細な説明については、その1の場合において説明した内容を参照することができる。さらなる説明は、ここでは提供しない。
【００７４】
UEが1つの第3の出力制御パラメータグループおよび1つの第2の出力制御パラメータグループを含む出力制御パラメータセットを受信する場合、UEは、出力制御パラメータセットから1つを第1の出力制御パラメータグループとして選択し、第1の出力制御パラメータグループ内の出力制御パラメータに従ってUEの送信出力を決定する。UEが出力制御パラメータセットから第3の出力制御パラメータグループを第1の出力制御パラメータグループとして選択する場合、UEは、第3の出力制御パラメータグループに含まれる第2の出力制御パラメータに従ってUEの送信出力を決定し、UEが出力制御パラメータセットから第2の出力制御パラメータグループを第1の出力制御パラメータグループとして選択する場合、UEは、第2の出力制御パラメータグループに含まれる第1の出力制御パラメータに従ってUEの送信出力を決定する。
【００７５】
その3：少なくとも1つの出力制御パラメータグループが、少なくとも1つの第3の出力制御パラメータグループを含み、ここで第3の出力制御グループは、第2の出力制御パラメータを含み、第2の出力制御パラメータは、UEが許容する最大送信出力（例えば、PcmaxまたはPpower_class）での送信をUEに対して指示するために使用され、または第2の出力制御パラメータに対応する出力での送信をUEに対して指示するために使用される。ここでは、2つの第3の出力制御パラメータグループを含む出力制御パラメータセットを、説明のための例として使用する。
【００７６】
具体的には、出力制御パラメータセットが2つの第3の出力制御パラメータグループを含む場合、2つの第3の出力制御パラメータグループのどちらも、第2の出力制御パラメータを含む。随意により、2つの第2の出力制御パラメータの機能は、同じであっても、異なってもよい。随意により、2つの第3の出力制御パラメータグループ内の第2の出力制御パラメータのどちらも、第2の出力パラメータに対応する出力での送信をUEに対して指示するために使用することができ、これは、2つの第2の出力制御パラメータのどちらも特定の出力値を使用することによってUEに通知を行い、2つの第2の出力制御パラメータの値が異なることを示している。随意により、2つの第3の出力制御パラメータグループにおける第2の出力制御パラメータの一方を、UEが許容する最大送信出力（例えば、PcmaxまたはPpower_class）での送信をUEに対して指示するために使用することができ、一方を第2の出力パラメータに対応する出力での送信をUEに対して指示するために使用することができる。
【００７７】
UEが2つの第3の出力制御パラメータグループを含む出力制御パラメータセットを受信する場合、UEは、出力制御パラメータセットから1つの第3の出力制御パラメータグループを第1の出力制御パラメータグループとして選択し、選択された第3の出力制御パラメータグループ内の第2の出力制御パラメータに従ってUEの送信出力を決定する。
【００７８】
本発明の実施形態によって提供される出力制御方法においては、UEが基地局によって送信される出力制御パラメータセットを受信し、ここで出力制御パラメータセットは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含む。UEは、出力制御パラメータセットに従って第1の出力制御パラメータグループを決定し、したがってUEは、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスを満足させる送信出力を計算によって求め、したがってUEの通信距離が保証される。
【００７９】
以上の実施形態に基づき、本発明の実施形態の第1の考えられる実施方法として、この実施形態は、基地局によって送信され、出力制御パラメータグループと通信サービスとの間の第1の写像関係を含んでいる出力制御パラメータセットをUEにおいて受信し、UEによって開始されるサービスおよび第1の写像関係に従って第1の出力制御パラメータグループをUEにおいて決定する特定のプロセスに関する。さらに、少なくとも1つの出力制御パラメータグループは、少なくとも2つの第2の出力制御パラメータを含み、または少なくとも1つの第3の出力制御パラメータグループおよび少なくとも1つの第2の出力制御パラメータグループを含み、または少なくとも2つの第3の出力制御パラメータグループを含み、S101が、とりわけ、基地局によって送信され、出力制御パラメータグループと通信サービスとの間の第1の写像関係を含んでいる出力制御パラメータセットを、UEによって受信することを含み、S102が、とりわけ、UEによって開始される通信サービスおよび第1の写像関係に従って第1の出力制御パラメータグループをUEによって決定することを含む。
【００８０】
特に、基地局が、設定された出力制御パラメータセットをUEに送信し、ここで出力制御パラメータセットは、出力制御パラメータグループと通信サービスとの間の第1の写像関係を含んでいる。出力制御パラメータセットを、上位層信号を使用することによってUEに送信することができる。上位層信号は、SIB信号またはRRC信号であってよい。加えて、出力制御パラメータセットにおいて、出力制御パラメータグループと通信サービスとの間の第1の写像関係は、出力制御パラメータセットに含まれる出力制御パラメータグループに応じて異なる。具体的には、3つの場合A、B、およびCが存在し得る。
【００８１】
A．出力制御パラメータセットが少なくとも2つの第2の出力制御パラメータグループを含む場合に、ここで出力制御パラメータセットが3つの第2の出力制御パラメータグループを含むと仮定すると、第1の写像関係は、3つの第2の出力制御パラメータグループの各々がUEの1つの異なる通信サービスに対応することである。例えば、第1の写像関係は、表1に示されるとおりであってよい。表1の第2の出力制御パラメータグループの各々は、ただ1つの第1の出力制御パラメータPOを含み、この場合にはΔ＝0およびα＝1である（または、3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。第2の出力制御パラメータグループの各々は、1つの異なる通信サービスに対応している。
【００８２】
【表１】
2016529814.tif 000003
【００８３】
UEは、UEによって開始されるサービスに従って、第1の写像関係から、UEのサービスに対応する第2の出力制御パラメータグループを決定し、UEのサービスに対応する第2の出力制御パラメータグループを第1の出力制御パラメータグループとして使用し、第1の出力制御パラメータグループ内の第1の出力制御パラメータを使用して信号の送信のための出力を計算することができる。例えば、UEによって現時点において開始されるサービスが短距離D2D通信サービスである場合、UEは、第1の写像関係から、短距離D2D通信サービスに対応する第2の出力制御パラメータグループが第1の出力制御パラメータグループであると決定する。次いで、UEは、第2の出力制御パラメータグループ内の第1の出力制御パラメータ｛PO＝−90dBm｝を式PD2D＝PO＋PLに代入し、UEによるD2D信号の送信のための出力を得る。
【００８４】
B．出力制御パラメータセットが少なくとも1つの第3の出力制御パラメータグループおよび少なくとも1つの第2の出力制御パラメータグループを含む場合に、ここで出力制御パラメータセットが3つの第2の出力制御パラメータグループおよび1つの第3の出力制御パラメータグループを含むと仮定すると、第1の写像関係は、4つの出力制御パラメータグループの各々がUEの1つの異なる通信サービスに対応することである。例えば、第1の写像関係は、表2に示されるとおりであってよい。表2の第2の出力制御パラメータグループの各々は、ただ1つの第1の出力制御パラメータPOを含み、この場合にはΔ＝0およびα＝1である（または、3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。表2の第3の出力制御パラメータグループは、第2の出力制御パラメータを含む。第2の出力制御パラメータグループおよび第3の出力制御パラメータグループの各々は、1つの異なる通信サービスに対応している。表2の第2の出力制御パラメータを、UEが許容する最大送信出力（例えば、PcmaxまたはPpower_class）での送信をUEに対して指示するために使用することができ、または第2の出力制御パラメータに対応する出力での送信をUEに対して指示するために使用することができる。ここで、第2の出力制御パラメータが、最大出力での送信をUEに対して指示するために使用されると仮定する。
【００８５】
【表２】
2016529814.tif 000004
【００８６】
UEは、UEによって開始されるサービスに従って、第1の写像関係から、UEのサービスに対応する出力制御パラメータグループを決定し、UEのサービスに対応する出力制御パラメータグループを第1の出力制御パラメータグループとして使用し、第1の出力制御パラメータグループ内の出力制御パラメータを使用して信号の送信のための出力を計算することができる。例えば、UEによって現時点において開始されるサービスが短距離D2D通信サービスである場合、UEは、第1の写像関係から、短距離D2D通信サービスに対応する第2の出力制御パラメータグループが第1の出力制御パラメータグループであると決定する。次いで、UEは、第2の出力制御パラメータグループ内の第1の出力制御パラメータ｛PO＝−90dBm｝を式PD2D＝PO＋PLに代入し、UEによるD2D信号の送信のための出力を得る。
【００８７】
C．出力制御パラメータセットが少なくとも2つの第3の出力制御パラメータグループを含む場合に、ここで出力制御パラメータセットが4つの第3の出力制御パラメータグループを含むと仮定すると、第1の写像関係は、4つの第3の出力制御パラメータグループの各々がUEの1つの異なる通信サービスに対応することである。例えば、第1の写像関係は、表3に示されるとおりであってよい。表3の第3の出力制御パラメータグループの各々は、第2の出力制御パラメータを含む。緊急通信サービスに対応する第3の出力制御パラメータグループの第2の出力制御パラメータだけが、最大出力での送信をUEに対して指示するために使用される。他の第3の出力制御パラメータグループの第2の出力制御パラメータは、第2の出力制御パラメータに対応する出力（Ptx）での送信をUEに対して指示するために使用される。
【００８８】
【表３】
2016529814.tif 000005
【００８９】
UEは、UEによって開始されるサービスに従って、第1の写像関係から、UEのサービスに対応する第3の出力制御パラメータグループを決定し、UEのサービスに対応する第3の出力制御パラメータグループを第1の出力制御パラメータグループとして使用し、第1の出力制御パラメータグループ内の第2の出力制御パラメータを使用して信号の送信のための出力を決定することができる。例えば、UEによって現時点において開始されるサービスが短距離D2D通信サービスである場合、UEは、第1の写像関係から、短距離D2D通信サービスに対応する第3の出力制御パラメータグループが第1の出力制御パラメータグループであると決定し、したがってUEは、14dBmでD2D信号を送信する。
【００９０】
本発明の実施形態によって提供される出力制御方法においては、UEが、基地局によって送信され、出力制御パラメータグループと通信サービスとの間の第1の写像関係を含んでいる出力制御パラメータセットを受信し、UEが、UEによって開始される通信サービスおよび第1の写像関係に従って第1の出力制御パラメータグループを決定し、したがってUEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスを満足させる送信出力を計算によって求め、したがってUEの通信距離が保証される。
【００９１】
以上の実施形態に基づき、本発明の実施形態の第2の考えられる実施方法として、この実施形態は、UEが基地局によって送信される出力制御パラメータセットおよび第1の識別子を受信し、第1の識別子および出力制御パラメータグループと出力制御グループ識別子との間の第2の写像関係に従って第1の出力制御パラメータグループを決定する特定のプロセスに関し、ここで出力制御パラメータセットは第2の写像関係を含む。さらに、少なくとも1つの出力制御パラメータグループは、少なくとも2つの第2の出力制御パラメータを含み、または少なくとも1つの第3の出力制御パラメータグループおよび少なくとも1つの第2の出力制御パラメータグループを含み、または少なくとも2つの第3の出力制御パラメータグループを含み、S101が、とりわけ、基地局によって送信される出力制御パラメータセットおよび第1の識別子をUEによって受信することを含み、ここで出力制御パラメータセットは、出力制御パラメータグループと出力制御グループ識別子との間の第2の写像関係を含んでおり、S102が、とりわけ、第1の識別子および第2の写像関係に従って第1の出力制御パラメータグループをUEによって決定することを含む。
【００９２】
特に、基地局が、設定された出力制御パラメータセットおよび第1の識別子をUEに送信し、ここで出力制御パラメータセットは、出力制御パラメータグループと出力制御グループ識別子との間の第2の写像関係を含んでいる。出力制御パラメータセットを、上位層信号を使用することによってUEに送信することができる。上位層信号は、SIB信号またはRRC信号であってよい。第1の識別子を、RRC信号、または物理ダウンリンク制御チャネル（Physical Downlink Control Channel、以下ではPDCCHと略す）信号、またはエンハンスド物理ダウンリンク制御チャネル（Enhanced Physical Downlink Control Channel、以下ではEPDCCHと略す）信号、または中継物理ダウンリンク制御チャネル（Relay Physical Downlink Control Channel、以下ではRPDCCHと略す）信号を使用することによってUEに送信することができる。加えて、出力制御パラメータセットにおいて、出力制御パラメータグループと出力制御グループ識別子との間の第2の写像関係は、出力制御パラメータセットに含まれる出力制御パラメータグループに応じて異なる。具体的には、3つの場合D、E、およびFが存在し得る。
【００９３】
D．出力制御パラメータセットが少なくとも2つの第2の出力制御パラメータグループを含む場合に、ここで出力制御パラメータセットが3つの第2の出力制御パラメータグループを含むと仮定すると、第2の写像関係は、3つの第2の出力制御パラメータグループの各々が1つの異なる出力制御グループ識別子に対応することである（出力制御グループ識別子は、出力設定続き番号であってよい）。例えば、第2の写像関係は、表4に示されるとおりであってよい。表4の第2の出力制御パラメータグループの各々は、ただ1つの第1の出力制御パラメータPOを含み、この場合にはΔ＝0およびα＝1である（または、3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。第2の出力制御パラメータグループの各々は、1つの異なる出力制御グループ識別子に対応している。
【００９４】
【表４】
2016529814.tif 000006
【００９５】
基地局による出力制御パラメータセットおよび第1の識別子の送信は、最初にRRC信号またはSIB信号を使用することによって出力制御パラメータセットを送信し、次いでRRC信号またはPDCCH信号またはEPDCCH信号またはRPDCCHを使用することによってUEに第1の識別子を送信することであってよく、または最初にRRC信号またはPDCCH信号またはEPDCCH信号を使用することによって第1の識別子を送信し、次いでRRC信号またはSIB信号を使用することによってUEに出力制御パラメータセットを送信することであってよく、または出力制御パラメータセットと第1の識別子とを同時に送信することであってよい。すなわち、本発明の実施形態は、出力制御パラメータセットおよび第1の識別子の送信の順序を限定しない。好ましくは、出力制御パラメータセットが、第1の識別子が送信される前に送信される。
【００９６】
UEは、基地局によって送信されて受信される第1の識別子に従って、第2の写像関係から、第1の識別子に対応する第2の出力制御パラメータグループを決定し、第1の識別子に対応する第2の出力制御パラメータグループを第1の出力制御パラメータグループとして使用し、第1の出力制御パラメータグループ内の第1の出力制御パラメータを使用して信号の送信のための出力を計算することができる。例えば、UEによって受信される第1の識別子が2である場合、UEは、第2の写像関係から、出力制御グループ識別子が2である第2の出力制御パラメータグループを見つけ、この第2の出力制御パラメータグループを第1の出力制御パラメータグループとして使用する。次いで、UEは、第2の出力制御パラメータグループ内の第1の出力制御パラメータ｛PO＝−90dBm｝を式PD2D＝PO＋PLに代入し、UEによるD2D信号の送信のための出力を得る。第1の識別子が、UEの現在のサービスに基づいてUEについて基地局によって設定されることに、注意すべきである。したがって、第1の識別子に従ってUEによって決定される第1の出力制御パラメータグループおよび第1の出力制御パラメータグループ内の出力制御パラメータに従って決定される送信出力は、UEの通信距離を保証することができる。
【００９７】
E．出力制御パラメータセットが少なくとも1つの第3の出力制御パラメータグループおよび少なくとも1つの第2の出力制御パラメータグループを含む場合に、ここで出力制御パラメータセットが3つの第2の出力制御パラメータグループおよび1つの第3の出力制御パラメータグループを含むと仮定すると、第2の写像関係は、4つの出力制御パラメータグループの各々がUEの1つの異なる通信サービスに対応することである。例えば、第2の写像関係は、表5に示されるとおりであってよい。表5の第2の出力制御パラメータグループの各々は、ただ1つの第1の出力制御パラメータPOを含み、この場合にはΔ＝0およびα＝1である（または、3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。表5の第3の出力制御パラメータグループは、第2の出力制御パラメータを含む。第2の出力制御パラメータグループおよび第3の出力制御パラメータグループの各々は、1つの異なる出力制御グループ識別子に対応している。表5の第2の出力制御パラメータを、UEが許容する最大送信出力（例えば、PcmaxまたはPpower_class）での送信をUEに対して指示するために使用することができ、または第2の出力制御パラメータに対応する出力での送信をUEに対して指示するために使用することができる。ここで、第2の出力制御パラメータが、最大出力での送信をUEに対して指示するために使用されると仮定する。
【００９８】
【表５】
2016529814.tif 000007
【００９９】
UEは、基地局によって送信されて受信される第1の識別子に従って、第2の写像関係から、第1の識別子に対応する出力制御パラメータグループを決定し、第1の識別子に対応する出力制御パラメータグループを第1の出力制御パラメータグループとして使用し、第1の出力制御パラメータグループ内の出力制御パラメータを使用して信号の送信のための出力を計算することができる。例えば、UEによって受信された第1の識別子が2である場合、UEは、第2の写像関係から、出力制御グループ識別子が2である出力制御パラメータグループ（第2の出力制御パラメータグループ）を見つけ、この第2の出力制御パラメータグループを第1の出力制御パラメータグループとして使用する。次いで、UEは、第2の出力制御パラメータグループ内の第1の出力制御パラメータ｛PO＝−85dBm｝を式PD2D＝PO＋PLに代入し、UEによるD2D信号の送信のための出力を得る。
【０１００】
F．出力制御パラメータセットが少なくとも2つの第3の出力制御パラメータグループを含む場合に、ここで出力制御パラメータセットが4つの第3の出力制御パラメータグループを含むと仮定すると、第2の写像関係は、4つの第3の出力制御パラメータグループの各々がUEの1つの異なる通信サービスに対応することである。例えば、第2の写像関係は、表6に示されるとおりであってよい。表6の第3の出力制御パラメータグループの各々は、第2の出力制御パラメータを含む。出力制御グループ識別子が0である第3の出力制御パラメータグループの第2の出力制御パラメータだけが、最大出力での送信をUEに対して指示するために使用される。他の第3の出力制御パラメータグループの第2の出力制御パラメータは、第2の出力制御パラメータに対応する出力（Ptx）での送信をUEに対して指示するために使用される。
【０１０１】
【表６】
2016529814.tif 000008
【０１０２】
UEは、基地局によって送信されて受信される第1の識別子に従って、第2の写像関係から、第1の識別子に対応する出力制御パラメータグループを決定し、第1の識別子に対応する出力制御パラメータグループを第1の出力制御パラメータグループとして使用し、第1の出力制御パラメータグループ内の出力制御パラメータを使用して信号の送信のための出力を計算することができる。例えば、UEによって受信された第1の識別子が2である場合、UEは、第2の写像関係から、出力制御グループ識別子が2である出力制御パラメータグループ（第3の出力制御パラメータグループ）を見つけ、この第3の出力制御パラメータグループを第1の出力制御パラメータグループとして使用する。次いで、UEは、第3の出力制御パラメータグループ内の第2の出力制御パラメータ（14dBm）を使用して、D2D信号を送信する。
【０１０３】
本発明の実施形態によって提供される出力制御方法においては、UEが、基地局によって送信される出力制御パラメータセットおよび第1の識別子を受信し、ここで出力制御パラメータセットは、出力制御パラメータグループと出力制御グループ識別子との間の第2の写像関係を含んでおり、UEが、UEが受信した第1の識別子および第2の写像関係に従って第1の出力制御パラメータグループを決定し、したがってUEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスを満足させる送信出力を計算によって求め、したがってUEの通信距離が保証される。
【０１０４】
以上の実施形態に基づき、本発明の実施形態の第3の考えられる実施方法として、この実施形態は、UEが基地局によって送信される出力制御パラメータセットおよび第2の識別子を受信し、第2の識別子および出力制御パラメータセットに従って第1の出力制御パラメータグループを決定する特定のプロセスに関し、ここで出力制御パラメータセットは、所定のシーケンスに従って基地局によって設定された少なくとも2つの出力制御パラメータグループを含む。さらに、少なくとも1つの出力制御パラメータグループは、少なくとも2つの第2の出力制御パラメータを含み、または少なくとも1つの第3の出力制御パラメータグループおよび少なくとも1つの第2の出力制御パラメータグループを含み、または少なくとも2つの第3の出力制御パラメータグループを含み、S101が、とりわけ、基地局によって送信された出力制御パラメータセットおよび第2の識別子をUEによって受信することを含み、ここで出力制御パラメータセットは、所定のシーケンスに従って基地局によって設定された少なくとも2つの出力制御パラメータグループを含んでおり、S102が、とりわけ、第2の識別子および出力制御パラメータセットに従って第1の出力制御パラメータグループをUEによって決定することを含む。
【０１０５】
具体的には、基地局が、設定された出力制御パラメータセットおよび第2の識別子をUEに送信し、ここで出力制御パラメータセットは、所定のシーケンスに従って基地局によって設定された少なくとも2つの出力制御パラメータグループを含み、すなわち出力制御パラメータセット内の出力制御パラメータグループは、秩序だった方法で配置されている。出力制御パラメータセットを、上位層信号を使用することによってUEに送信することができる。上位層信号は、SIB信号またはRRC信号であってよい。第2の識別子を、RRC信号またはPDCCH信号またはEPDCCH信号またはRPDCCH信号を使用することによってUEに送信することができる。出力制御パラメータセットに含まれ、所定のシーケンスに従って設定される少なくとも2つの出力制御パラメータグループに関して、特に3つの場合G、H、およびIが存在し得る。
【０１０６】
G．出力制御パラメータセットが少なくとも2つの第2の出力制御パラメータグループを含む場合、この場合における少なくとも2つの第2の出力制御パラメータグループは、シーケンスに従って設定される。ここで、出力制御パラメータセットが、表7に示されるように、所定のシーケンスに従って設定された3つの第2の出力制御パラメータグループを含むと仮定する。表7の第2の出力制御パラメータグループの各々は、ただ1つの第1の出力制御パラメータPOを含み、この場合にはΔ＝0およびα＝1である（または、3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。
【０１０７】
【表７】
2016529814.tif 000009
【０１０８】
H．出力制御パラメータセットが少なくとも1つの第3の出力制御パラメータグループおよび少なくとも1つの第2の出力制御パラメータグループを含む場合、この場合における少なくとも1つの第3の出力制御パラメータグループおよび少なくとも1つの第2の出力制御パラメータグループは、シーケンスに従って設定される。ここで、出力制御パラメータセットが、表8に示されるように、3つの第2の出力制御パラメータグループおよび1つの第3の出力制御パラメータグループを含むと仮定する。表8の第2の出力制御パラメータグループの各々は、ただ1つの第1の出力制御パラメータPOを含み、この場合にはΔ＝0およびα＝1である（または、3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。表8の第3の出力制御パラメータグループは、第2の出力制御パラメータを含む。
【０１０９】
【表８】
2016529814.tif 000010
【０１１０】
I．出力制御パラメータセットが少なくとも2つの第3の出力制御パラメータグループを含む場合、この場合における少なくとも1つの第3の出力制御パラメータグループは、シーケンスに従って設定される。ここで、出力制御パラメータセットが、表9に示されるように、4つの第3の出力制御パラメータグループを含むと仮定する。表9の第3の出力制御パラメータグループの各々は、第2の出力制御パラメータを含む。第3の出力制御パラメータグループのうちの第1の第3の出力制御パラメータグループの第2の出力制御パラメータだけが、最大出力での送信をUEに対して指示するために使用される。他の第3の出力制御パラメータグループの第2の出力制御パラメータは、第2の出力制御パラメータに対応する出力（Ptx）での送信をUEに対して指示するために使用される。
【０１１１】
【表９】
2016529814.tif 000011
【０１１２】
基地局による出力制御パラメータセットおよび第2の識別子の送信は、最初にRRC信号またはSIB信号を使用することによって出力制御パラメータセットを送信し、次いでRRC信号またはPDCCH信号またはEPDCCH信号またはRPDCCH信号を使用することによってUEに第2の識別子を送信することであってよく、または最初にRRC信号またはPDCCH信号またはEPDCCH信号またはRPDCCH信号を使用することによって第2の識別子を送信し、次いでRRC信号またはSIB信号を使用することによってUEに出力制御パラメータセットを送信することであってよく、または出力制御パラメータセットと第2の識別子とを同時に送信することであってよい。すなわち、本発明の実施形態は、出力制御パラメータセットおよび第2の識別子の送信の順序を限定しない。好ましくは、出力制御パラメータセットが、第2の識別子が送信される前に送信される。
【０１１３】
UEは、基地局によって送信されて受信され、出力制御パラメータセットからどの出力制御パラメータグループを第1の出力制御パラメータグループとして選択するかをUEに指示するために使用される第2の識別子に従って、出力制御パラメータグループを選択し、選択された出力制御パラメータグループ内の出力制御パラメータに従ってUEの送信出力を決定することができる。例えば、基地局によって送信され、UEによって現時点において受信される出力制御パラメータセットが、表8の出力制御パラメータセットであり、UEが基地局によって送信される第2の識別子を受信する場合に、第2の識別子が、出力制御パラメータセット内の出力制御パラメータグループのうちの第1の出力制御パラメータグループを第1の出力制御パラメータグループとして選択するようにUEに指示するために使用される00であると仮定すると、UEは、第2の識別子に従って表8の第3の出力制御パラメータグループのうちの第1の第3の出力制御パラメータグループを選択し、UEが許容する最大送信出力（例えば、PcmaxまたはPpower_class）でD2D信号を送信する。第2の識別子が、UEの現在のサービスに基づいてUEについて基地局によって設定されることに、注意すべきである。したがって、第2の識別子に従ってUEによって決定される第1の出力制御パラメータグループおよび第1の出力制御パラメータグループ内の出力制御パラメータに従って決定される送信出力は、UEの通信距離を保証することができる。
【０１１４】
本発明の実施形態によって提供される出力制御方法においては、UEが、基地局によって送信される出力制御パラメータセットおよび第2の識別子を受信し、ここで出力制御パラメータセットは、所定のシーケンスに従って基地局によって設定された少なくとも2つの出力制御パラメータグループを含んでおり、UEが、UEが受信した第2の識別子および出力制御パラメータセットに従って第1の出力制御パラメータグループを決定し、したがってUEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスに適した送信出力を計算によって求め、したがってUEの通信距離が保証される。
【０１１５】
以上の実施形態に基づき、本発明の実施形態の第4の考えられる実施方法として、この実施形態は、UEが基地局によって送信される出力制御パラメータセットおよび第3の識別子を受信し、第3の識別子に従って第1の出力制御パラメータグループを決定する特定のプロセスに関し、ここで出力制御パラメータセットは、1つの第2の出力制御パラメータグループおよび1つの第3の出力制御パラメータグループを含み、S101が、とりわけ、基地局によって送信される出力制御パラメータセットおよび第3の識別子をUEによって受信することを含み、S102が、とりわけ、第3の識別子および出力制御パラメータセットに従って第1の出力制御パラメータグループをUEによって決定することを含む。
【０１１６】
具体的には、基地局が、設定された出力制御パラメータセットおよび第3の識別子をUEに送信し、ここで出力制御パラメータセットは、1つの第2の出力制御パラメータグループおよび1つの第3の出力制御パラメータグループを含み、これら2つの出力制御パラメータグループは、無秩序な方法で配置されてよい。出力制御パラメータセットを、上位層信号を使用することによってUEに送信することができる。上位層信号は、SIB信号またはRRC信号であってよい。第3の識別子を、RRC信号またはPDCCH信号またはEPDCCH信号またはRPDCCH信号を使用することによってUEに送信することができる。第3の識別子は、第3の出力制御パラメータが第1の出力制御パラメータグループであると決定するようにUEに対して指示し、または第2の出力制御パラメータグループが第1の出力制御パラメータグループであると決定するようにUEに対して指示し、すなわち信号の送信に第2の出力制御パラメータを使用し、または信号の送信に第1の出力制御パラメータによって決定される出力を使用するようにUEに対して指示するデフォルト写像関係であってよい。出力制御パラメータセットについての詳細に関して、表10および表11を参照することができる。
【０１１７】
【表１０】
2016529814.tif 000012
【０１１８】
【表１１】
2016529814.tif 000013
【０１１９】
基地局による出力制御パラメータセットおよび第3の識別子の送信は、最初にRRC信号またはSIB信号を使用することによって出力制御パラメータセットを送信し、次いでRRC信号またはPDCCH信号またはEPDCCH信号またはRPDCCH信号を使用することによってUEに第3の識別子を送信することであってよく、または最初にRRC信号またはPDCCH信号またはEPDCCH信号またはRPDCCH信号を使用することによって第3の識別子を送信し、次いでRRC信号またはSIB信号を使用することによってUEに出力制御パラメータセットを送信することであってよく、または出力制御パラメータセットと第3の識別子とを同時に送信することであってよい。すなわち、本発明の実施形態は、出力制御パラメータセットおよび第3の識別子の送信の順序を限定しない。好ましくは、出力制御パラメータセットが、第3の識別子が送信される前に送信される。
【０１２０】
UEは、基地局によって送信されて受信され、出力制御パラメータセットからどの出力制御パラメータグループを第1の出力制御パラメータグループとして選択するかをUEに指示するために使用される第3の識別子に従って、出力制御パラメータグループを選択し、選択された出力制御パラメータグループ内の出力制御パラメータに従ってUEの送信出力を決定することができる。例えば、基地局によって送信され、UEによって現時点において受信される出力制御パラメータセットが、表10の出力制御パラメータセットであり、UEが基地局によって送信される第3の識別子を受信する場合に、第3の識別子が、出力制御パラメータセット内の第3の出力制御パラメータグループを第1の出力制御パラメータグループとして選択するようにUEに指示するために使用される0であると仮定すると、UEは、第3の識別子に従って表10の第3の出力制御パラメータグループを選択し、UEが許容する最大送信出力（例えば、PcmaxまたはPpower_class）でD2D信号を送信する。第3の識別子が、UEの現在のサービスに基づいてUEについて基地局によって設定されることに、注意すべきである。したがって、第3の識別子に従ってUEによって決定される第1の出力制御パラメータグループおよび第1の出力制御パラメータグループ内の出力制御パラメータに従って決定される送信出力は、UEの通信距離を保証することができる。
【０１２１】
本発明の実施形態によって提供される出力制御方法においては、UEが、基地局によって送信される出力制御パラメータセットおよび第3の識別子を受信し、ここで出力制御パラメータセットは、1つの第2の出力制御パラメータグループおよび1つの第3の出力制御パラメータグループを含み、UEが、UEが受信した第3の識別子および出力制御パラメータセットに従って第1の出力制御パラメータグループを決定し、したがってUEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスに適した送信出力を計算によって求め、したがってUEの通信距離が保証される。
【０１２２】
以上の実施形態に基づき、本発明の実施形態の第5の考えられる実施方法として、この実施形態は、UEが、基地局によって送信される出力制御パラメータセットを受信し、出力制御パラメータセットに従って第1の出力制御パラメータグループが第1の出力制御パラメータを含み、または第2の出力制御パラメータを含むと判断する特定のプロセスに関し、ここで出力制御パラメータセットは、1つの第2の出力制御パラメータグループを含む。さらに、少なくとも1つの出力制御パラメータグループは、1つの第2の出力制御パラメータグループを含み、S101が、とりわけ、基地局によって送信される出力制御パラメータセットおよび第4の識別子をUEによって受信することを含み、S102が、とりわけ、第4の識別子および出力制御パラメータセットに従って、UEによって、第1の出力制御パラメータグループが第1の出力制御パラメータまたは第2の出力制御パラメータを含むと判断することを含む。
【０１２３】
具体的には、基地局が、設定された出力制御パラメータセットおよび第4の識別子をUEに送信し、ここで出力制御パラメータセットは、1つの第2の出力制御パラメータグループを含む。出力制御パラメータセットを、上位層信号を使用することによってUEに送信することができる。上位層信号は、SIB信号またはRRC信号であってよい。第4の識別子を、RRC信号またはPDCCH信号またはEPDCCH信号またはRPDCCH信号を使用することによってUEに送信することができる。第4の識別子は、UEに対して出力制御パラメータセットに従って第1の出力制御パラメータグループが第1の出力制御パラメータを含み、または第2の出力制御パラメータを含むと判断するように指示することができる。すなわち、第4の識別子は、信号の送信にUEが許容する最大送信出力（例えば、PcmaxまたはPpower_class）を使用し、または信号の送信に基地局によってもたらされた第2の出力制御パラメータグループ内の第1の出力制御パラメータによって決定される出力を使用するように、UEに対して指示するために使用される。例えば、UEが基地局によって送信された出力制御パラメータセットを現時点において受信し、さらにUEが基地局によって送信された第4の識別子を受信する場合に、第4の識別子が0であると仮定すると、UEは、出力制御パラメータセットに従って第1の出力制御パラメータグループが第2の出力制御パラメータを含むと判断するように指示され、すなわちUEは、UEが許容する最大送信出力（例えば、PcmaxまたはPpower_class）でD2D信号を送信するように指示される。第4の識別子が、UEの現在のサービスに基づいてUEについて基地局によって設定されることに、注意すべきである。したがって、第4の識別子に従ってUEによって決定される第1の出力制御パラメータグループおよび第1の出力制御パラメータグループ内の出力制御パラメータに従って決定される送信出力は、UEの通信距離を保証することができる。
【０１２４】
基地局による出力制御パラメータセットおよび第4の識別子の送信は、最初にRRC信号またはSIB信号を使用することによって出力制御パラメータセットを送信し、次いでRRC信号またはPDCCH信号またはEPDCCH信号またはRPDCCH信号を使用することによってUEに第4の識別子を送信することであってよく、または最初にRRC信号またはPDCCH信号またはEPDCCH信号またはRPDCCH信号を使用することによって第4の識別子を送信し、次いでRRC信号またはSIB信号を使用することによってUEに出力制御パラメータセットを送信することであってよく、または出力制御パラメータセットと第4の識別子とを同時に送信することであってよい。すなわち、本発明の実施形態は、出力制御パラメータセットおよび第4の識別子の送信の順序を限定しない。好ましくは、出力制御パラメータセットが、第4の識別子が送信される前に送信される。
【０１２５】
本発明の実施形態によって提供される出力制御方法においては、UEが、基地局によって送信される出力制御パラメータセットおよび第4の識別子を受信し、ここで出力制御パラメータセットは、1つの第2の制御パラメータグループを含み、UEが、UEが受信した第4の識別子および出力制御パラメータセットに従って第1の出力制御パラメータグループが第1の出力制御パラメータまたは第2の出力制御パラメータを含むと判断し、したがってUEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループ内の出力制御パラメータを決定でき、したがってUEが、出力制御パラメータに従って、UEによって現時点において開始されるサービスに適した送信出力を計算によって求め、したがってUEの通信距離が保証される。
【０１２６】
図2が、本発明による出力制御方法の第2の実施形態の概略のフロー図である。この方法は、基地局によって実行される。図2に示されるとおり、本方法は、以下を含む。
【０１２７】
S201．基地局が出力制御パラメータセットを設定し、ここで出力制御パラメータセットは、少なくとも1つの出力制御パラメータグループを含み、出力制御パラメータグループは、少なくとも1つの出力制御パラメータを含む。
【０１２８】
S202．基地局が出力制御パラメータセットをUEに送信し、したがってUEが、出力制御パラメータセットに従って第1の出力制御グループを決定し、第1の出力制御パラメータグループ内の出力制御パラメータに従ってUEの送信出力を決定する。
【０１２９】
具体的には、基地局が、前もって出力制御パラメータセットを設定し、ここで出力制御パラメータセットは、少なくとも1つの出力制御パラメータグループを含むことができ、出力制御パラメータグループは、少なくとも1つの出力制御パラメータを含む。出力制御パラメータセットの設定の完了後に、基地局は、出力制御パラメータセットをUEに送信する。随意により、基地局は、UEが上位層信号を使用することによって出力制御パラメータセットを取得できるように、出力制御パラメータセットを運ぶ上位層信号をUEに送信することができる。随意により、上位層信号は、SIB信号またはRRC信号であってよい。
【０１３０】
出力制御パラメータセットが複数の出力制御パラメータグループを含む場合、UEは、複数の出力制御パラメータグループから1つの出力制御パラメータグループを第1の出力制御パラメータグループとして選択することができる。随意により、UEは、UEによって開始されるサービスが長距離通信サービスであるか、中距離通信サービスであるか、短距離通信サービスであるか、または緊急サービスであるかに従って、出力制御パラメータセット内のどの出力制御パラメータグループがUEによって第1の出力制御パラメータグループとして選択されるかを、決定することができる。随意により、基地局は、複数の出力制御パラメータグループから或る出力制御パラメータグループを第1の出力制御パラメータグループとして選択するようにUEに対して指示することができる。すなわち、第1の出力制御パラメータグループ内の出力制御パラメータは、UEによって現時点において開始される通信サービスに適する。UEが第1の出力制御パラメータグループ内の出力制御パラメータに従って決定される送信出力を使用する場合、UEの現在の通信距離を保証することができる。
【０１３１】
出力制御パラメータセットが1つの出力制御パラメータグループを含む場合、UEは、その出力制御パラメータグループを第1の出力制御パラメータグループとして使用する。随意により、第1の出力制御パラメータグループ内の出力制御パラメータは、UEによって送信に使用されるべき出力を示す値であってよい。この値は、UEによって現時点において開始されるサービスの種類に基づいてUEのための基地局によって設定される。すなわち、UEが、第1の出力制御パラメータグループ内の出力制御パラメータを使用することによって、UEによって現時点において開始されるサービスに適した送信出力を決定できる場合、UEの現在の通信距離をやはり保証することができる。
【０１３２】
先行技術における出力制御のための開ループ出力制御および閉ループ出力制御を使用すると、基地局がUEのために静的または半静的な出力制御パラメータのグループを1つだけ設定し、したがって出力制御パラメータのグループに従ってUEによって決定される出力は、個々の状況のもとで固定となる。しかしながら、UEによって現時点において開始されるサービスが長距離通信サービスであるときに、低い送信出力が、この場合においてUEについて基地局によって設定された静的または半静的な出力制御パラメータに従って、UEによる計算を通じて得られる。したがって、UEは、UEの送信出力が高い出力に増加する前に、いくつかの長い動的な信号プロセスを経なければならない（長い時間が消費される）。結果として、UEの現在の通信距離を満足する送信出力を決定するために長い時間がかかり、ユーザの通信品質に悪影響が及ぶ。さらに、P0およびPLc（P0は基地局によって信号を受信するための目標出力であり、PLcはUEによって推定されるUEと基地局との間の経路損失である）が開ループ出力制御および閉ループ出力制御における出力制御パラメータに含まれるため、UEと基地局との間の距離が短く、PLcが小さい場合、低い送信出力が、基地局によって設定された静的または半静的な出力制御パラメータに従ったUEによる計算を通じてやはり得られ、UEの通信距離を保証することができない。
【０１３３】
本発明の実施形態によって提供される出力制御方法においては、基地局が、少なくとも1つの出力制御パラメータグループを含む出力制御パラメータセットを設定して、出力制御パラメータセットをUEに送信し、したがってUEが、出力制御パラメータセットに従って第1の出力制御パラメータグループを決定し、UEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスを満足させる送信出力を計算によって求め、したがってUEの通信距離が保証される。
【０１３４】
さらに、少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含むことができ、ここで第2の出力制御パラメータグループは、少なくとも1つの第1の出力制御パラメータを含み、第3の出力制御グループは、第2の出力制御パラメータを含み、第2の出力制御パラメータは、UEが許容する最大送信出力（例えば、PcmaxまたはPpower_class）での送信をUEに対して指示するために使用され、または第2の出力制御パラメータに対応する出力での送信をUEに対して指示するために使用される。
【０１３５】
具体的には、3つの場合が存在し得る。
【０１３６】
第1の場合：少なくとも1つの出力制御パラメータグループが、少なくとも1つの第2の出力制御パラメータグループを含み、各々の第2の出力制御パラメータグループは、少なくとも1つの第1の出力制御パラメータを含むことができ、ここで第1の出力制御パラメータは、変数と考えられてよく、各々の第2の出力制御パラメータグループに含まれる変数の種類は同じであるが、変数の値は異なる。以下は、2つの第2の出力制御パラメータグループを含む出力制御パラメータセットを、説明のための例として使用する。
【０１３７】
例えば、D2D信号のための出力制御の式は、以下のとおり、すなわちPD2D＝PO＋α・PL＋Δ（式1）であり、ここでPD2Dは、UEによってD2D信号を送信するための送信出力であり、POは、基地局による信号の受信についての目標出力であり、α∈｛0，0．4，0．5，0．6，0．7，0．8，0．9，1｝は、経路損失補償係数であり、PLは、UEによる計算によって得られる該当の基地局からUEまでの経路損失である。PL＝システムによる基準信号の送信における送信出力−UEによって検出される基準信号の受信出力である。Δは、出力制御のためのオフセットパラメータ値である。
【０１３８】
したがって、1つの第2の出力制御パラメータグループは、3つの第1の出力制御パラメータ｛PO，α，Δ｝を含むことができ、ここで3つの第1の出力制御パラメータはいずれも変数であり、または2つの第1の出力制御パラメータ｛PO，α｝を含むことができ（これは、Δ＝0であり、したがってPD2D＝PO＋α・PLであり、2つの変数POおよびαだけが式中に存在する場合である）、またはただ1つの第1の出力制御パラメータPOを含むことができる（これは、Δ＝0であり、α＝1であり、したがってPD2D＝PO＋PLであり、ただ1つの変数POが式中に存在する場合である）。したがって、2つの第2の出力制御パラメータグループにおける違いは、2つの第2の出力制御パラメータグループ内の第1の出力制御パラメータの値の違いとして表される。例えば、第2の出力制御パラメータグループのうちの第1の第2の出力制御パラメータグループにおける第1の出力制御パラメータが、特に｛PO＝−80dBm｝であり、第2の出力制御パラメータグループのうちの第2の第2の出力制御パラメータグループにおける第1の出力制御パラメータが、特に｛PO＝−90dBm｝である。
【０１３９】
以下の例においては、説明のために、ただ1つの第1の出力制御パラメータ（PO）だけを含む第2の出力制御パラメータグループが使用されることに、注意すべきである。実際には、基地局の構成に応じて、両方の第2の出力制御パラメータグループが3つの第1の出力制御パラメータ（｛PO，α，Δ｝）を含んでよく、2つの第2の出力制御パラメータグループの3つの第1の出力制御パラメータの値が互いに異なってよく、または値のいくつかが同じであってもよく、両方の第2の出力制御パラメータグループが2つの第1の出力制御パラメータ（｛PO，α｝）を含んでもよく、2つの第2の出力制御パラメータグループの2つの第1の出力制御パラメータの値が互いに異なってよく、または値のいくつかが同じであってもよい。
【０１４０】
したがって、UEが2つの第2の出力制御パラメータグループを含む出力制御パラメータセットを受信する場合、UEは、2つの第2の出力制御パラメータグループから或る第2の出力制御パラメータグループを第1の出力制御パラメータグループとして選択し、第1の出力制御パラメータグループ内の第1の出力制御パラメータに従ってUEの送信出力を決定する。
【０１４１】
第2の場合：少なくとも1つの出力制御パラメータグループが、少なくとも1つの第3の出力制御パラメータグループおよび少なくとも1つの第2の出力制御パラメータグループを含み、ここで第2の出力制御パラメータグループは、その1の場合において説明したように、少なくとも1つの第1の出力制御パラメータを含み、第3の出力制御グループは、第2の出力制御パラメータを含み、第2の出力制御パラメータは、UEが許容する最大送信出力（例えば、PcmaxまたはPpower_class）での送信をUEに対して指示するために使用され、または第2の出力制御パラメータに対応する出力での送信をUEに対して指示するために使用される。ここで、1つの第3の出力制御パラメータグループおよび1つの第2の出力制御パラメータグループを含む出力制御パラメータセットが、説明のための例として使用される。
【０１４２】
具体的には、第3の出力制御パラメータグループに含まれる第2の出力制御パラメータは、UEの要求に従ってUEのために基地局によって設定される送信出力の特定の出力値であってよく（この出力に従ってUEによって設定される送信出力が、UEの現在のサービスに適する）、またはUEが許容する最大送信出力（例えば、PcmaxまたはPpower_class）での送信をUEに対して指示するための識別子であってよい（UEがこの識別子を認識したとき、UEはUEが許容する最大送信出力で信号を送信する）。第2の出力制御パラメータグループの詳細な説明については、その1の場合において説明した内容を参照することができる。さらなる説明は、ここでは提供しない。
【０１４３】
UEが1つの第3の出力制御パラメータグループおよび1つの第2の出力制御パラメータグループを含む出力制御パラメータセットを受信する場合、UEは、出力制御パラメータセットから1つを第1の出力制御パラメータグループとして選択し、第1の出力制御パラメータグループ内の出力制御パラメータに従ってUEの送信出力を決定する。UEが出力制御パラメータセットから第3の出力制御パラメータグループを第1の出力制御パラメータグループとして選択する場合、UEは、第3の出力制御パラメータグループに含まれる第2の出力制御パラメータに従ってUEの送信出力を決定し、UEが出力制御パラメータセットから第2の出力制御パラメータグループを第1の出力制御パラメータグループとして選択する場合、UEは、第2の出力制御パラメータグループに含まれる第1の出力制御パラメータに従ってUEの送信出力を決定する。
【０１４４】
第3の場合：少なくとも1つの出力制御パラメータグループが、少なくとも1つの第3の出力制御パラメータグループを含み、ここで第3の出力制御グループは、第2の出力制御パラメータを含み、第2の出力制御パラメータは、UEが許容する最大送信出力（例えば、PcmaxまたはPpower_class）での送信をUEに対して指示するために使用され、または第2の出力制御パラメータに対応する出力での送信をUEに対して指示するために使用される。ここでは、2つの第3の出力制御パラメータグループを含む出力制御パラメータセットを、説明のための例として使用する。
【０１４５】
具体的には、出力制御パラメータセットが2つの第3の出力制御パラメータグループを含む場合、2つの第3の出力制御パラメータグループのどちらも、第2の出力制御パラメータを含む。随意により、2つの第2の出力制御パラメータの機能は、同じであっても、異なってもよい。随意により、2つの第3の出力制御パラメータグループ内の第2の出力制御パラメータのどちらも、第2の出力パラメータに対応する出力での送信をUEに対して指示するために使用することができ、これは、2つの第2の出力制御パラメータのどちらも特定の出力値を使用することによってUEに通知を行い、2つの第2の出力制御パラメータの値が異なることを示している。随意により、2つの第3の出力制御パラメータグループにおける第2の出力制御パラメータの一方を、UEが許容する最大送信出力（例えば、PcmaxまたはPpower_class）での送信をUEに対して指示するために使用することができ、一方を第2の出力パラメータに対応する出力での送信をUEに対して指示するために使用することができる。
【０１４６】
UEが2つの第3の出力制御パラメータグループを含む出力制御パラメータセットを受信する場合、UEは、出力制御パラメータセットから1つの第3の出力制御パラメータグループを第1の出力制御パラメータグループとして選択し、選択された第3の出力制御パラメータグループ内の第2の出力制御パラメータに従ってUEの送信出力を決定する。
【０１４７】
本発明の実施形態によって提供される出力制御方法においては、基地局が、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含む出力制御パラメータセットを設定して、出力制御パラメータセットをUEに送信し、したがってUEが、出力制御パラメータセットに従って第1の出力制御パラメータグループを決定し、UEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスを満足させる送信出力を計算によって求め、したがってUEの通信距離が保証される。
【０１４８】
以上の実施形態に基づき、本発明の実施形態の考えられる実施方法として、この実施形態は、基地局が出力制御パラメータグループと通信サービスとの間の第1の写像関係を含んでいる出力制御パラメータセットをUEに送信し、UEが出力制御パラメータセットおよびUEによって開始されるサービスに従って第1の出力制御パラメータグループを決定する特定のプロセスに関する。さらに、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、S202が、とりわけ、出力制御パラメータグループと通信サービスとの間の第1の写像関係を含む出力制御パラメータセットを基地局によってUEに送信することを含む。
【０１４９】
特に、基地局が、出力制御パラメータグループと通信サービスとの間の第1の写像関係を含む出力制御パラメータセットを前もって設定する。次いで、基地局は、出力制御パラメータセットをUEに送信する。出力制御パラメータセットを、上位層信号を使用することによってUEに送信することができる。上位層信号は、SIB信号またはRRC信号であってよい。加えて、出力制御パラメータセットにおいて、出力制御パラメータグループと通信サービスとの間の第1の写像関係は、出力制御パラメータセットに含まれる出力制御パラメータグループに応じて異なる。具体的には、3つの場合a、b、およびcが存在し得る。
【０１５０】
a．出力制御パラメータセットが少なくとも2つの第2の出力制御パラメータグループを含む場合に、ここで出力制御パラメータセットが3つの第2の出力制御パラメータグループを含むと仮定すると、第1の写像関係は、3つの第2の出力制御パラメータグループの各々がUEの1つの異なる通信サービスに対応することである。例えば、第1の写像関係は、表1に示されるとおりであってよい。表1の第2の出力制御パラメータグループの各々は、ただ1つの第1の出力制御パラメータPOを含み、この場合にはΔ＝0およびα＝1である（または3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。第2の出力制御パラメータグループの各々は、1つの異なる通信サービスに対応している。
【０１５１】
UEは、UEによって開始されるサービスに従って、表1の第1の写像関係から、UEのサービスに対応する第2の出力制御パラメータグループを決定し、UEのサービスに対応する第2の出力制御パラメータグループを第1の出力制御パラメータグループとして使用し、第1の出力制御パラメータグループ内の第1の出力制御パラメータを使用して信号の送信のための出力を計算することができる。例えば、UEによって現時点において開始されるサービスが短距離D2D通信サービスである場合、UEは、第1の写像関係から、短距離D2D通信サービスに対応する第2の出力制御パラメータグループが第1の出力制御パラメータグループであると決定する。次いで、UEは、第2の出力制御パラメータグループ内の第1の出力制御パラメータ｛PO＝−90dBm｝を式PD2D＝PO＋PLに代入し、UEによるD2D信号の送信のための出力を得る。
【０１５２】
b．出力制御パラメータセットが少なくとも1つの第3の出力制御パラメータグループおよび少なくとも1つの第2の出力制御パラメータグループを含む場合に、ここで出力制御パラメータセットが3つの第2の出力制御パラメータグループおよび1つの第3の出力制御パラメータグループを含むと仮定すると、第1の写像関係は、4つの出力制御パラメータグループの各々がUEの1つの異なる通信サービスに対応することである。例えば、第1の写像関係は、表2に示されるとおりであってよい。表2の第2の出力制御パラメータグループの各々は、ただ1つの第1の出力制御パラメータPOを含み、この場合にはΔ＝0およびα＝1である（または、3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。表2の第3の出力制御パラメータグループは、第2の出力制御パラメータを含む。第2の出力制御パラメータグループおよび第3の出力制御パラメータグループの各々は、1つの異なる通信サービスに対応している。
【０１５３】
UEは、UEによって開始されるサービスに従って、表2に示される第1の写像関係から、UEのサービスに対応する出力制御パラメータグループを決定し、UEのサービスに対応する出力制御パラメータグループを第1の出力制御パラメータグループとして使用し、第1の出力制御パラメータグループ内の出力制御パラメータを使用して信号の送信のための出力を計算することができる。例えば、UEによって現時点において開始されるサービスが短距離D2D通信サービスである場合、UEは、第1の写像関係から、短距離D2D通信サービスに対応する第2の出力制御パラメータグループが第1の出力制御パラメータグループであると決定する。次いで、UEは、第2の出力制御パラメータグループ内の第1の出力制御パラメータ｛PO＝−90dBm｝を式PD2D＝PO＋PLに代入し、UEによるD2D信号の送信のための出力を得る。
【０１５４】
c．出力制御パラメータセットが少なくとも2つの第3の出力制御パラメータグループを含む場合に、ここで出力制御パラメータセットが4つの第3の出力制御パラメータグループを含むと仮定すると、第1の写像関係は、4つの第3の出力制御パラメータグループの各々がUEの1つの異なる通信サービスに対応することである。例えば、第1の写像関係は、表3に示されるとおりであってよい。表3の第3の出力制御パラメータグループの各々は、第2の出力制御パラメータを含む。緊急通信サービスに対応する第3の出力制御パラメータグループの第2の出力制御パラメータだけが、最大出力での送信をUEに対して指示するために使用される。他の第3の出力制御パラメータグループの第2の出力制御パラメータは、第2の出力制御パラメータに対応する送信出力（Ptx）での送信をUEに対して指示するために使用される。
【０１５５】
UEは、UEによって開始されるサービスに従って、表3に示される第1の写像関係から、UEのサービスに対応する第3の出力制御パラメータグループを決定し、UEのサービスに対応する第3の出力制御パラメータグループを第1の出力制御パラメータグループとして使用し、第1の出力制御パラメータグループ内の第2の出力制御パラメータを使用して信号の送信のための出力を決定することができる。例えば、UEによって現時点において開始されるサービスが短距離D2D通信サービスである場合、UEは、第1の写像関係から、短距離D2D通信サービスに対応する第3の出力制御パラメータグループが第1の出力制御パラメータグループであると決定し、したがってUEは、14dBmでD2D信号を送信する。
【０１５６】
本発明の実施形態によって提供される出力制御方法においては、基地局が、出力制御パラメータグループと通信サービスとの間の第1の写像関係を含んでいる出力制御パラメータセットをUEに送信し、UEが、UEによって開始される通信サービスおよび第1の写像関係に従って第1の出力制御パラメータグループを決定し、したがってUEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスを満足させる送信出力を計算によって求め、したがってUEの通信距離が保証される。
【０１５７】
以上の実施形態に基づき、本発明の実施形態の第2の考えられる実施方法として、この実施形態は、基地局が出力制御パラメータセットおよび第1の識別子をUEに送信し、そこには出力制御パラメータグループと出力制御グループ識別子との間の第2の写像関係が含まれ、UEが出力制御パラメータセットおよび第1の識別子に従って第1の出力制御パラメータグループを決定する特定のプロセスに関する。さらに、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、S202が、とりわけ、基地局によって出力制御パラメータセットおよび第1の識別子をUEに送信することを含み、ここで出力制御パラメータセットは、出力制御パラメータグループと出力制御グループ識別子との間の第2の写像関係を含んでおり、したがってUEが、第1の識別子および第2の写像関係に従って第1の出力制御パラメータグループを決定する。
【０１５８】
特に、基地局が、出力制御パラメータグループと出力制御グループ識別子との間の第2の写像関係を含んでいる出力制御パラメータセットを前もって設定し、出力制御パラメータセットおよび第1の識別子をUEに送信する。随意により、出力制御パラメータセットを、SIB信号またはRRC信号を使用することによってUEに送信することができ、第1の識別子を、RRC信号またはPDCCH信号またはEPDCCH信号またはRPDCCH信号を使用することによってUEに送信することができる。加えて、出力制御パラメータセットにおいて、出力制御パラメータグループと出力制御グループ識別子との間の第2の写像関係は、出力制御パラメータセットに含まれる出力制御パラメータグループに応じて異なる。具体的には、3つの場合d、e、およびfが存在し得る。
【０１５９】
d．出力制御パラメータセットが少なくとも2つの第2の出力制御パラメータグループを含む場合に、ここで出力制御パラメータセットが3つの第2の出力制御パラメータグループを含むと仮定すると、第2の写像関係は、3つの第2の出力制御パラメータグループの各々が1つの異なる出力制御グループ識別子に対応することである（出力制御グループ識別子は、出力設定続き番号であってよい）。例えば、第2の写像関係は、表4に示されるとおりであってよい。表4の第2の出力制御パラメータグループの各々は、ただ1つの第1の出力制御パラメータPOを含み、この場合にはΔ＝0およびα＝1である（または、3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。第2の出力制御パラメータグループの各々は、1つの異なる出力制御グループ識別子に対応している。
【０１６０】
基地局による出力制御パラメータセットおよび第1の識別子の送信は、最初にRRC信号またはSIB信号を使用することによって出力制御パラメータセットを送信し、次いでRRC信号またはPDCCH信号またはEPDCCH信号またはRPDCCH信号を使用することによってUEに第1の識別子を送信することであってよく、または最初にRRC信号またはPDCCH信号またはEPDCCH信号を使用することによって第1の識別子を送信し、次いでRRC信号またはSIB信号を使用することによってUEに出力制御パラメータセットを送信することであってよく、または出力制御パラメータセットと第1の識別子とを同時に送信することであってよい。すなわち、本発明の実施形態は、出力制御パラメータセットおよび第1の識別子の送信の順序を限定しない。好ましくは、出力制御パラメータセットが、第1の識別子が送信される前に送信される。
【０１６１】
UEは、基地局によって送信されて受信される第1の識別子に従って、表4に示される第2の写像関係から、第1の識別子に対応する第2の出力制御パラメータグループを決定し、第1の識別子に対応する第2の出力制御パラメータグループを第1の出力制御パラメータグループとして使用し、第1の出力制御パラメータグループ内の第1の出力制御パラメータを使用して信号の送信のための出力を計算することができる。例えば、UEによって受信される第1の識別子が2である場合、UEは、第2の写像関係から、出力制御グループ識別子が2である第2の出力制御パラメータグループを見つけ、この第2の出力制御パラメータグループを第1の出力制御パラメータグループとして使用する。次いで、UEは、第2の出力制御パラメータグループ内の第1の出力制御パラメータ｛PO＝−90dBm｝を式PD2D＝PO＋PLに代入し、UEによるD2D信号の送信のための出力を得る。第1の識別子が、UEの現在のサービスに基づいてUEについて基地局によって設定されることに、注意すべきである。したがって、第1の識別子に従ってUEによって決定される第1の出力制御パラメータグループおよび第1の出力制御パラメータグループ内の出力制御パラメータに従って決定される送信出力は、UEの通信距離を保証することができる。
【０１６２】
e．出力制御パラメータセットが少なくとも1つの第3の出力制御パラメータグループおよび少なくとも1つの第2の出力制御パラメータグループを含む場合に、ここで出力制御パラメータセットが3つの第2の出力制御パラメータグループおよび1つの第3の出力制御パラメータグループを含むと仮定すると、第2の写像関係は、4つの出力制御パラメータグループの各々がUEの1つの異なる通信サービスに対応することである。例えば、第2の写像関係は、表5に示されるとおりであってよい。表5の第2の出力制御パラメータグループの各々は、ただ1つの第1の出力制御パラメータPOを含み、この場合にはΔ＝0およびα＝1である（または3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。表5の第3の出力制御パラメータグループは、第2の出力制御パラメータを含む。第2の出力制御パラメータグループおよび第3の出力制御パラメータグループの各々は、1つの異なる出力制御グループ識別子に対応している。
【０１６３】
UEは、基地局によって送信されて受信される第1の識別子に従って、表5に示される第2の写像関係から、第1の識別子に対応する出力制御パラメータグループを決定し、第1の識別子に対応する出力制御パラメータグループを第1の出力制御パラメータグループとして使用し、第1の出力制御パラメータグループ内の出力制御パラメータを使用して信号の送信のための出力を計算することができる。例えば、UEによって受信された第1の識別子が2である場合、UEは、第2の写像関係から、出力制御グループ識別子が2である出力制御パラメータグループ（第2の出力制御パラメータグループ）を見つけ、この第2の出力制御パラメータグループを第1の出力制御パラメータグループとして使用する。次いで、UEは、第2の出力制御パラメータグループ内の第1の出力制御パラメータ｛PO＝−85dBm｝を式PD2D＝PO＋PLに代入し、UEによるD2D信号の送信のための出力を得る。
【０１６４】
f．出力制御パラメータセットが少なくとも2つの第3の出力制御パラメータグループを含む場合に、ここで出力制御パラメータセットが4つの第3の出力制御パラメータグループを含むと仮定すると、第2の写像関係は、4つの第3の出力制御パラメータグループの各々がUEの1つの異なる通信サービスに対応することである。例えば、第2の写像関係は、表6に示されるとおりであってよい。表6の第3の出力制御パラメータグループの各々は、第2の出力制御パラメータを含む。出力制御グループ識別子が0である第3の出力制御パラメータグループの第2の出力制御パラメータだけが、最大出力での送信をUEに対して指示するために使用される。他の第3の出力制御パラメータグループの第2の出力制御パラメータは、第2の出力制御パラメータに対応する送信出力（Ptx）での送信をUEに対して指示するために使用される。
【０１６５】
UEは、基地局によって送信されて受信される第1の識別子に従って、表6に示される第2の写像関係から、第1の識別子に対応する出力制御パラメータグループを決定し、第1の識別子に対応する出力制御パラメータグループを第1の出力制御パラメータグループとして使用し、第1の出力制御パラメータグループ内の出力制御パラメータを使用して信号の送信のための出力を計算することができる。例えば、UEによって受信された第1の識別子が2である場合、UEは、第2の写像関係から、出力制御グループ識別子が2である出力制御パラメータグループ（第3の出力制御パラメータグループ）を見つけ、この第3の出力制御パラメータグループを第1の出力制御パラメータグループとして使用する。次いで、UEは、第3の出力制御パラメータグループ内の第2の出力制御パラメータ（14dBm）を使用して、D2D信号を送信する。
【０１６６】
本発明の実施形態によって提供される出力制御方法においては、基地局が、出力制御パラメータセットおよび第1の識別子をUEに送信し、ここで出力制御パラメータセットは、出力制御パラメータグループと出力制御グループ識別子との間の第2の写像関係を含んでおり、UEが、UEが受信した第1の識別子および第2の写像関係に従って第1の出力制御パラメータグループを決定し、UEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスを満足させる送信出力を計算によって求め、したがってUEの通信距離が保証される。
【０１６７】
以上の実施形態に基づき、本発明の実施形態の第3の考えられる実施方法として、この実施形態は、基地局が出力制御パラメータセットおよび第2の識別子をUEに送信し、ここで出力制御パラメータセットは、所定のシーケンスに従って基地局によって設定された少なくとも2つの出力制御パラメータグループを含み、UEが、出力制御パラメータセットおよび第2の識別子に従って第1の出力制御パラメータグループを決定する特定のプロセスに関する。さらに、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、S202が、とりわけ、出力制御パラメータセットおよび第2の識別子を基地局によってUEに送信することを含み、ここで出力制御パラメータセットは、所定のシーケンスに従って基地局によって設定された少なくとも2つの出力制御パラメータグループを含んでおり、UEが、第2の識別子および出力制御パラメータセットに従って第1の出力制御パラメータグループを決定する。
【０１６８】
具体的には、基地局が、所定のシーケンスに従って基地局によって設定された少なくとも2つの出力制御パラメータグループを含む出力制御パラメータセットを前もって設定し、すなわち出力制御パラメータセット内の出力制御パラメータグループは、秩序だった方法で配置されており、次いで基地局が、出力制御パラメータセットおよび第2の識別子をUEに送信する。出力制御パラメータセットを、上位層信号を使用することによってUEに送信することができる。上位層信号は、SIB信号またはRRC信号であってよい。第2の識別子を、RRC信号またはPDCCH信号またはEPDCCH信号またはRPDCCH信号を使用することによってUEに送信することができる。出力制御パラメータセットに含まれ、所定のシーケンスに従って設定される少なくとも2つの出力制御パラメータグループに関して、特に3つの場合g、h、およびiが存在し得る。
【０１６９】
g．出力制御パラメータセットが少なくとも2つの第2の出力制御パラメータグループを含む場合、この場合における少なくとも2つの第2の出力制御パラメータグループは、シーケンスに従って設定される。ここで、出力制御パラメータセットが、表7に示されるように、所定のシーケンスに従って設定された3つの第2の出力制御パラメータグループを含むと仮定する。表7の第2の出力制御パラメータグループの各々は、ただ1つの第1の出力制御パラメータPOを含み、この場合にはΔ＝0およびα＝1である（または、3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。
【０１７０】
h．出力制御パラメータセットが少なくとも1つの第3の出力制御パラメータグループおよび少なくとも1つの第2の出力制御パラメータグループを含む場合、この場合における少なくとも1つの第3の出力制御パラメータグループおよび少なくとも1つの第2の出力制御パラメータグループは、シーケンスに従って設定される。ここで、出力制御パラメータセットが、表8に示されるように、3つの第2の出力制御パラメータグループおよび1つの第3の出力制御パラメータグループを含むと仮定する。表8の第2の出力制御パラメータグループの各々は、ただ1つの第1の出力制御パラメータPOを含み、この場合にはΔ＝0およびα＝1である（または、3つの第1の出力制御パラメータ｛PO，α，Δ｝が含まれてよく、または2つの出力制御パラメータグループ｛PO，α｝が含まれてよく、または｛PO，α，Δ｝のうちの任意の2つまたは任意の1つの出力制御パラメータが含まれてよく、ここではPOだけが含まれる場合が例として使用される）。表8の第3の出力制御パラメータグループは、第2の出力制御パラメータを含む。
【０１７１】
i．出力制御パラメータセットが少なくとも2つの第3の出力制御パラメータグループを含む場合、この場合における少なくとも1つの第3の出力制御パラメータグループは、シーケンスに従って設定される。ここで、出力制御パラメータセットが、表9に示されるように、4つの第3の出力制御パラメータグループを含むと仮定する。表9の第3の出力制御パラメータグループの各々は、第2の出力制御パラメータを含む。第3の出力制御パラメータグループのうちの第1の第3の出力制御パラメータグループの第2の出力制御パラメータだけが、最大出力での送信をUEに対して指示するために使用される。他の第3の出力制御パラメータグループの第2の出力制御パラメータは、第2の出力制御パラメータに対応する送信出力（Ptx）での送信をUEに対して指示するために使用される。
【０１７２】
基地局による出力制御パラメータセットおよび第2の識別子の送信は、最初にRRC信号またはSIB信号を使用することによって出力制御パラメータセットを送信し、次いでRRC信号またはPDCCH信号またはEPDCCH信号またはRPDCCH信号を使用することによってUEに第2の識別子を送信することであってよく、または最初にRRC信号またはPDCCH信号またはEPDCCH信号またはRPDCCH信号を使用することによって第2の識別子を送信し、次いでRRC信号またはSIB信号を使用することによってUEに出力制御パラメータセットを送信することであってよく、または出力制御パラメータセットと第2の識別子とを同時に送信することであってよい。すなわち、本発明の実施形態は、出力制御パラメータセットおよび第2の識別子の送信の順序を限定しない。好ましくは、出力制御パラメータセットが、第2の識別子が送信される前に送信される。
【０１７３】
UEは、基地局によって送信されて受信され、出力制御パラメータセットからどの出力制御パラメータグループを第1の出力制御パラメータグループとして選択するかをUEに指示するために使用される第2の識別子に従って、出力制御パラメータグループを選択し、選択された出力制御パラメータグループ内の出力制御パラメータに従ってUEの送信出力を決定することができる。例えば、基地局によって送信され、UEによって現時点において受信される出力制御パラメータセットが、表8の出力制御パラメータセットであり、UEが基地局によって送信される第2の識別子を受信する場合に、第2の識別子が、出力制御パラメータセット内の出力制御パラメータグループのうちの第1の出力制御パラメータグループを第1の出力制御パラメータグループとして選択するようにUEに指示するために使用される00であると仮定すると、UEは、第2の識別子に従って表8の第3の出力制御パラメータグループのうちの第1の第3の出力制御パラメータグループを選択し、UEが許容する最大送信出力（例えば、PcmaxまたはPpower_class）でD2D信号を送信する。第2の識別子が、UEの現在のサービスに基づいてUEについて基地局によって設定されることに、注意すべきである。したがって、第2の識別子に従ってUEによって決定される第1の出力制御パラメータグループおよび第1の出力制御パラメータグループ内の出力制御パラメータに従って決定される送信出力は、UEの通信距離を保証することができる。
【０１７４】
本発明の実施形態によって提供される出力制御方法においては、基地局が、所定のシーケンスに従って基地局によって設定された少なくとも2つの出力制御パラメータグループを含んでいる出力制御パラメータセットをUEに送信し、UEが、UEが受信した出力制御パラメータセットおよび第2の識別子に従って第1の出力制御パラメータグループを決定し、UEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスに適した送信出力を計算によって求め、したがってUEの通信距離が保証される。
【０１７５】
以上の実施形態に基づき、本発明の実施形態の第4の考えられる実施方法として、この実施形態は、基地局が、1つの第2の出力制御パラメータグループおよび1つの第3の出力制御パラメータグループを含む出力制御パラメータセットおよび第3の識別子をUEに送信し、UEが、出力制御パラメータセットおよび第3の識別子に従って第1の出力制御パラメータグループを決定する特定のプロセスに関する。S202が、とりわけ、1つの第2の出力制御パラメータグループおよび1つの第3の出力制御パラメータグループを含む出力制御パラメータセットおよび第3の識別子を基地局によってUEに送信することを含む。
【０１７６】
具体的には、基地局が、1つの第2の出力制御パラメータグループおよび1つの第3の出力制御パラメータグループを含む出力制御パラメータセットを前もって設定し、ここで2つの出力制御パラメータグループは、無秩序な方法で配置されてよい。出力制御パラメータセットを、上位層信号を使用することによってUEに送信することができる。上位層信号は、SIB信号またはRRC信号であってよい。第3の識別子を、RRC信号またはPDCCH信号またはEPDCCH信号またはRPDCCH信号を使用することによってUEに送信することができる。第3の識別子は、第3の出力制御パラメータが第1の出力制御パラメータグループであると決定するようにUEに対して指示し、または第2の出力制御パラメータグループが第1の出力制御パラメータグループであると決定するようにUEに対して指示し、すなわち信号の送信に第2の出力制御パラメータを使用し、または信号の送信に第1の出力制御パラメータによって決定される出力を使用するようにUEに対して指示するデフォルト写像関係であってよい。出力制御パラメータセットについての詳細に関して、表10および表11を参照することができる。
【０１７７】
基地局による出力制御パラメータセットおよび第3の識別子の送信は、最初にRRC信号またはSIB信号を使用することによって出力制御パラメータセットを送信し、次いでRRC信号またはPDCCH信号またはEPDCCH信号またはRPDCCH信号を使用することによってUEに第3の識別子を送信することであってよく、または最初にRRC信号またはPDCCH信号またはEPDCCH信号またはRPDCCH信号を使用することによって第3の識別子を送信し、次いでRRC信号またはSIB信号を使用することによってUEに出力制御パラメータセットを送信することであってよく、または出力制御パラメータセットと第3の識別子とを同時に送信することであってよい。すなわち、本発明の実施形態は、出力制御パラメータセットおよび第3の識別子の送信の順序を限定しない。好ましくは、出力制御パラメータセットが、第3の識別子が送信される前に送信される。
【０１７８】
UEは、基地局によって送信されて受信され、出力制御パラメータセットからどの出力制御パラメータグループを第1の出力制御パラメータグループとして選択するかをUEに指示するために使用される第3の識別子に従って、出力制御パラメータグループを選択し、選択された出力制御パラメータグループ内の出力制御パラメータに従ってUEの送信出力を決定することができる。例えば、基地局によって送信され、UEによって現時点において受信される出力制御パラメータセットが、表10の出力制御パラメータセットであり、UEが基地局によって送信される第3の識別子を受信する場合に、第3の識別子が、出力制御パラメータセット内の第3の出力制御パラメータグループを第1の出力制御パラメータグループとして選択するようにUEに指示するために使用される0であると仮定すると、UEは、第3の識別子に従って表10の第3の出力制御パラメータグループを選択し、UEが許容する最大送信出力（例えば、PcmaxまたはPpower_class）でD2D信号を送信する。第3の識別子が、UEの現在のサービスに基づいてUEについて基地局によって設定されることに、注意すべきである。したがって、第3の識別子に従ってUEによって決定される第1の出力制御パラメータグループおよび第1の出力制御パラメータグループ内の出力制御パラメータに従って決定される送信出力は、UEの通信距離を保証することができる。
【０１７９】
本発明の実施形態によって提供される出力制御方法においては、基地局が出力制御パラメータセットおよび第3の識別子をUEに送信し、ここで出力制御パラメータセットは、1つの第2の出力制御パラメータグループおよび1つの第3の出力制御パラメータグループを含み、したがってUEが、UEが受信した第3の識別子および出力制御パラメータセットに従って第1の出力制御パラメータグループを決定し、UEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループを決定でき、したがってUEが、第1の出力制御パラメータグループ内の出力制御パラメータに従って、UEによって現時点において開始されるサービスに適した送信出力を計算によって求め、したがってUEの通信距離が保証される。
【０１８０】
以上の実施形態に基づき、本発明の実施形態の第5の考えられる実施方法として、この実施形態は、基地局が1つの第2の出力制御パラメータグループを含む出力制御パラメータセットをUEに送信し、出力制御パラメータセットに従って第1の出力制御パラメータグループが第1の出力制御パラメータを含み、または第2の出力制御パラメータを含むと判断する特定のプロセスに関する。さらに、少なくとも1つの出力制御パラメータグループは、1つの第2の出力制御パラメータグループを含み、S202が、とりわけ、1つの第2の出力制御パラメータグループを含む出力制御パラメータセットおよび第3の識別子を基地局によってUEに送信することを含む。
【０１８１】
特に、基地局が、1つの第2の出力制御パラメータグループを含む出力制御パラメータセットを前もって設定する。出力制御パラメータセットを、上位層信号を使用することによってUEに送信することができる。上位層信号は、SIB信号またはRRC信号であってよい。第4の識別子を、RRC信号またはPDCCH信号またはEPDCCH信号またはRPDCCH信号を使用することによってUEに送信することができる。第4の識別子は、UEに対して出力制御パラメータセットに従って第1の出力制御パラメータグループが第1の出力制御パラメータを含み、または第2の出力制御パラメータを含むと判断するように指示することができる。すなわち、第4の識別子は、信号の送信にUEが許容する最大送信出力（例えば、PcmaxまたはPpower_class）を使用し、または信号の送信に基地局によってもたらされた第2の出力制御パラメータグループ内の第1の出力制御パラメータによって決定される出力を使用するように、UEに対して指示するために使用される。例えば、UEが基地局によって送信された出力制御パラメータセットを現時点において受信し、さらにUEが基地局によって送信された第4の識別子を受信する場合に、第4の識別子が0であると仮定すると、UEは、出力制御パラメータセットに従って第1の出力制御パラメータグループが第2の出力制御パラメータを含むと判断するように指示され、すなわちUEは、UEが許容する最大送信出力（例えば、PcmaxまたはPpower_class）でD2D信号を送信するように指示される。第4の識別子が、UEの現在のサービスに基づいてUEについて基地局によって設定されることに、注意すべきである。したがって、第4の識別子に従ってUEによって決定される第1の出力制御パラメータグループおよび第1の出力制御パラメータグループ内の出力制御パラメータに従って決定される送信出力は、UEの通信距離を保証することができる。
【０１８２】
基地局による出力制御パラメータセットおよび第4の識別子の送信は、最初にRRC信号またはSIB信号を使用することによって出力制御パラメータセットを送信し、次いでRRC信号またはPDCCH信号またはEPDCCH信号またはRPDCCH信号を使用することによってUEに第4の識別子を送信することであってよく、または最初にRRC信号またはPDCCH信号またはEPDCCH信号またはRPDCCH信号を使用することによって第4の識別子を送信し、次いでRRC信号またはSIB信号を使用することによってUEに出力制御パラメータセットを送信することであってよく、または出力制御パラメータセットと第4の識別子とを同時に送信することであってよい。すなわち、本発明の実施形態は、出力制御パラメータセットおよび第4の識別子の送信の順序を限定しない。好ましくは、出力制御パラメータセットが、第4の識別子が送信される前に送信される。
【０１８３】
本発明の実施形態によって提供される出力制御方法においては、基地局が出力制御パラメータセットおよび第4の識別子をUEに送信し、ここで出力制御パラメータセットは、1つの第2の制御パラメータグループを含み、UEが、UEが受信した第4の識別子および出力制御パラメータセットに従って第1の出力制御パラメータグループが第1の出力制御パラメータまたは第2の出力制御パラメータを含むと判断し、したがってUEが、第1の出力制御パラメータグループ内の出力制御パラメータに従ってUEの送信出力を決定することができる。本発明の実施形態によって提供される方法においては、UEが、サービスの要件または基地局からの指示に従って、UEによって使用されるべき第1の出力制御パラメータグループ内の出力制御パラメータを決定でき、したがってUEが、出力制御パラメータに従って、UEによって現時点において開始されるサービスに適した送信出力を計算によって求め、したがってUEの通信距離が保証される。
【０１８４】
上述の方法の実施形態のすべてまたは一部の段階を、プログラムによって指示される関連のハードウェアによって実行でき、プログラムは、コンピュータにとって読み取り可能な記憶媒体に格納されてよく、プログラムが実行されるときに、含まれた上述の方法の実施形態の各段階が実行され、記憶媒体は、ROM、RAM、磁気ディスク、または光ディスクなど、プログラムコードを格納することができる種々の媒体を含むことを、当業者であれば理解できるであろう。
【０１８５】
図3が、本発明によるユーザ機器の第1の実施形態の概略の構造図である。図3に示されるとおり、ユーザ機器は、受信モジュール10、第1の決定モジュール11、および第2の決定モジュール12を備える。受信モジュール10は、基地局によって送信される出力制御パラメータセットを受信するように構成され、ここで出力制御パラメータセットは、少なくとも1つの出力制御パラメータグループを含み、出力制御パラメータグループは、少なくとも1つの出力制御パラメータを含み、第1の決定モジュール11は、出力制御パラメータセットに従って第1の出力制御パラメータグループを決定するように構成され、第2の決定モジュール12は、第1の出力制御パラメータグループ内の出力制御パラメータに従ってUEの送信出力を決定するように構成される。
【０１８６】
本発明の実施形態によって提供されるユーザ機器は、ユーザ機器の上述の方法の実施形態を実行することができる。その実施原理および技術的効果は同様であり、ここではさらなる説明は行わない。
【０１８７】
さらに、少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、ここで第2の出力制御パラメータグループは、少なくとも1つの第1の出力制御パラメータを含み、第3の出力制御グループは、第2の出力制御パラメータを含み、第2の出力制御パラメータは、UEが許容する最大送信出力での送信をUEに対して指示するために使用され、または第2の出力制御パラメータに対応する出力での送信をUEに対して指示するために使用される。
【０１８８】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、受信モジュール10が、とりわけ、基地局によって送信され、出力制御パラメータグループと通信サービスとの間の第1の写像関係を含んでいる出力制御パラメータセットを受信するように構成され、第1の決定モジュール11が、とりわけ、ユーザ機器によって開始される通信サービスおよび第1の写像関係に従って第1の出力制御パラメータグループを決定するように構成される。
【０１８９】
本発明の実施形態によって提供されるユーザ機器は、ユーザ機器の上述の方法の実施形態を実行することができる。その実施原理および技術的効果は同様であり、ここではさらなる説明は行わない。
【０１９０】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、受信モジュール10が、とりわけ、基地局によって送信される出力制御パラメータセットおよび第1の識別子を受信するように構成され、ここで出力制御パラメータセットは、出力制御パラメータグループと出力制御グループ識別子との間の第2の写像関係を含んでおり、第1の決定モジュール11が、とりわけ、第1の識別子および第2の写像関係に従って第1の出力制御パラメータグループを決定するように構成される。
【０１９１】
本発明の実施形態によって提供されるユーザ機器は、ユーザ機器の上述の方法の実施形態を実行することができる。その実施原理および技術的効果は同様であり、ここではさらなる説明は行わない。
【０１９２】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、受信モジュール10が、とりわけ、基地局によって送信された出力制御パラメータセットおよび第2の識別子を受信するように構成され、ここで出力制御パラメータセットは、所定のシーケンスに従って基地局によって設定された少なくとも2つの出力制御パラメータグループを含んでおり、第1の決定モジュール11が、とりわけ、第2の識別子および出力制御パラメータセットに従って第1の出力制御パラメータグループを決定するように構成される。
【０１９３】
本発明の実施形態によって提供されるユーザ機器は、ユーザ機器の上述の方法の実施形態を実行することができる。その実施原理および技術的効果は同様であり、ここではさらなる説明は行わない。
【０１９４】
随意により、少なくとも1つの出力制御パラメータグループは、1つの第2の出力制御パラメータグループおよび1つの第3の出力制御パラメータグループを含み、受信モジュール10が、とりわけ、基地局によって送信される出力制御パラメータセットおよび第3の識別子を受信するように構成され、第1の決定モジュール11が、とりわけ、第3の識別子および出力制御パラメータセットに従って第1の出力制御パラメータグループを決定するように構成される。
【０１９５】
本発明の実施形態によって提供されるユーザ機器は、ユーザ機器の上述の方法の実施形態を実行することができる。その実施原理および技術的効果は同様であり、ここではさらなる説明は行わない。
【０１９６】
随意により、少なくとも1つの出力制御パラメータグループは、1つの第2の出力制御パラメータグループを含み、受信モジュール10は、とりわけ、基地局によって送信される出力制御パラメータセットおよび第4の識別子を受信するように構成され、第1の決定モジュール11は、とりわけ、第4の識別子および出力制御パラメータセットに従って第1の出力制御パラメータグループが第1の出力制御パラメータまたは第2の出力制御パラメータを含むと判断するように構成される。
【０１９７】
本発明の実施形態によって提供されるユーザ機器は、ユーザ機器の上述の方法の実施形態を実行することができる。その実施原理および技術的効果は同様であり、ここではさらなる説明は行わない。
【０１９８】
図4は、本発明による基地局の第1の実施形態の概略の構造図である。図4に示されるとおり、基地局は、設定モジュール20および送信モジュール21を備える。設定モジュール20は、出力制御パラメータセットを設定するように構成され、ここで出力制御パラメータセットは、少なくとも1つの出力制御パラメータグループを含み、出力制御パラメータグループは、少なくとも1つの出力制御パラメータを含み、送信モジュール21は、出力制御パラメータセットをユーザ機器UEに送信するように構成され、UEが、出力制御パラメータセットに従って第1の出力制御グループを決定し、第1の出力制御パラメータグループ内の出力制御パラメータに従ってUEの送信出力を決定する。
【０１９９】
本発明の実施形態によって提供される基地局は、基地局の上述の方法の実施形態を実行することができる。その実施原理および技術的効果は同様であり、ここではさらなる説明は行わない。
【０２００】
さらに、少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、ここで第2の出力制御パラメータグループは、少なくとも1つの第1の出力制御パラメータを含み、第3の出力制御グループは、第2の出力制御パラメータを含み、第2の出力制御パラメータは、UEが許容する最大送信出力での送信をUEに対して指示するために使用され、または第2の出力制御パラメータに対応する出力での送信をUEに対して指示するために使用される。
【０２０１】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、送信モジュール21は、とりわけ、出力制御パラメータグループと通信サービスとの間の第1の写像関係を含む出力制御パラメータセットをUEに送信するように構成される。
【０２０２】
本発明の実施形態によって提供される基地局は、基地局の上述の方法の実施形態を実行することができる。その実施原理および技術的効果は同様であり、ここではさらなる説明は行わない。
【０２０３】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、送信モジュール21は、出力制御パラメータセットおよび第1の識別子をUEに送信するように構成され、ここで出力制御パラメータセットは、出力制御パラメータグループと出力制御グループ識別子との間の第2の写像関係を含んでおり、したがってUEが、第1の識別子および第2の写像関係に従って第1の出力制御パラメータグループを決定する。
【０２０４】
本発明の実施形態によって提供される基地局は、基地局の上述の方法の実施形態を実行することができる。その実施原理および技術的効果は同様であり、ここではさらなる説明は行わない。
【０２０５】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、送信モジュール21は、とりわけ、出力制御パラメータセットおよび第2の識別子をUEに送信するように構成され、ここで出力制御パラメータセットは、所定のシーケンスに従って基地局によって設定された少なくとも2つの出力制御パラメータグループを含んでおり、UEが、第2の識別子および出力制御パラメータセットに従って第1の出力制御パラメータグループを決定する。
【０２０６】
本発明の実施形態によって提供される基地局は、基地局の上述の方法の実施形態を実行することができる。その実施原理および技術的効果は同様であり、ここではさらなる説明は行わない。
【０２０７】
随意により、少なくとも1つの出力制御パラメータグループは、1つの第2の出力制御パラメータグループおよび1つの第3の出力制御パラメータグループを含み、送信モジュール21は、とりわけ、出力制御パラメータセットおよび第3の識別子をUEに送信するように構成され、UEが、第3の識別子および出力制御パラメータセットに従って第1の出力制御パラメータグループを決定する。
【０２０８】
本発明の実施形態によって提供される基地局は、基地局の上述の方法の実施形態を実行することができる。その実施原理および技術的効果は同様であり、ここではさらなる説明は行わない。
【０２０９】
随意により、少なくとも1つの出力制御パラメータグループは、1つの第2の出力制御パラメータグループを含み、送信モジュール21は、とりわけ、出力制御パラメータセットおよび第4の識別子をUEに送信するように構成され、UEが、第4の識別子および出力制御パラメータセットに従って、第1の出力制御パラメータグループが第1の出力制御パラメータまたは第2の出力制御パラメータを含むと判断する。
【０２１０】
本発明の実施形態によって提供される基地局は、基地局の上述の方法の実施形態を実行することができる。その実施原理および技術的効果は同様であり、ここではさらなる説明は行わない。
【０２１１】
図5は、本発明によるユーザ機器の第2の実施形態の概略の構造図である。図5に示されるとおり、ユーザ機器は、受信機30およびプロセッサ31を備える。受信機30は、基地局によって送信される出力制御パラメータセットを受信するように構成され、ここで出力制御パラメータセットは、少なくとも1つの出力制御パラメータグループを含み、出力制御パラメータグループは、少なくとも1つの出力制御パラメータを含み、プロセッサ31は、出力制御パラメータセットに従って第1の出力制御パラメータグループを決定し、第1の出力制御パラメータグループ内の出力制御パラメータに従ってUEの送信出力を決定するように構成される。
【０２１２】
本発明の実施形態によって提供されるユーザ機器は、ユーザ機器の上述の方法の実施形態を実行することができる。その実施原理および技術的効果は同様であり、ここではさらなる説明は行わない。
【０２１３】
さらに、少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、ここで第2の出力制御パラメータグループは、少なくとも1つの第1の出力制御パラメータを含み、第3の出力制御グループは、第2の出力制御パラメータを含み、第2の出力制御パラメータは、UEが許容する最大送信出力での送信をUEに対して指示するために使用され、または第2の出力制御パラメータに対応する出力での送信をUEに対して指示するために使用される。
【０２１４】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、受信機30は、とりわけ、基地局によって送信され、出力制御パラメータグループと通信サービスとの間の第1の写像関係を含んでいる出力制御パラメータセットを受信するように構成され、プロセッサ31は、とりわけ、ユーザ機器によって開始される通信サービスおよび第1の写像関係に従って第1の出力制御パラメータグループを決定するように構成される。
【０２１５】
本発明の実施形態によって提供されるユーザ機器は、ユーザ機器の上述の方法の実施形態を実行することができる。その実施原理および技術的効果は同様であり、ここではさらなる説明は行わない。
【０２１６】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、受信機30は、とりわけ、基地局によって送信される出力制御パラメータセットおよび第1の識別子を受信するように構成され、ここで出力制御パラメータセットは、出力制御パラメータグループと出力制御グループ識別子との間の第2の写像関係を含んでおり、プロセッサ31は、とりわけ、第1の識別子および第2の写像関係に従って第1の出力制御パラメータグループを決定するように構成される。
【０２１７】
本発明の実施形態によって提供されるユーザ機器は、ユーザ機器の上述の方法の実施形態を実行することができる。その実施原理および技術的効果は同様であり、ここではさらなる説明は行わない。
【０２１８】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、受信機30は、とりわけ、基地局によって送信された出力制御パラメータセットおよび第2の識別子を受信するように構成され、ここで出力制御パラメータセットは、所定のシーケンスに従って基地局によって設定された少なくとも2つの出力制御パラメータグループを含んでおり、プロセッサ31は、とりわけ、第2の識別子および出力制御パラメータセットに従って第1の出力制御パラメータグループを決定するように構成される。
【０２１９】
本発明の実施形態によって提供されるユーザ機器は、ユーザ機器の上述の方法の実施形態を実行することができる。その実施原理および技術的効果は同様であり、ここではさらなる説明は行わない。
【０２２０】
随意により、少なくとも1つの出力制御パラメータグループは、1つの第2の出力制御パラメータグループおよび1つの第3の出力制御パラメータグループを含み、受信機30は、とりわけ、基地局によって送信される出力制御パラメータセットおよび第3の識別子を受信するように構成され、プロセッサ31は、とりわけ、第3の識別子および出力制御パラメータセットに従って第1の出力制御パラメータグループを決定するように構成される。
【０２２１】
本発明の実施形態によって提供されるユーザ機器は、ユーザ機器の上述の方法の実施形態を実行することができる。その実施原理および技術的効果は同様であり、ここではさらなる説明は行わない。
【０２２２】
随意により、少なくとも1つの出力制御パラメータグループは、1つの第2の出力制御パラメータグループを含み、受信機30は、とりわけ、基地局によって送信される出力制御パラメータセットおよび第4の識別子を受信するように構成され、プロセッサ31は、とりわけ、第4の識別子および出力制御パラメータセットに従って第1の出力制御パラメータグループが第1の出力制御パラメータまたは第2の出力制御パラメータを含むと判断するように構成される。
【０２２３】
本発明の実施形態によって提供されるユーザ機器は、ユーザ機器の上述の方法の実施形態を実行することができる。その実施原理および技術的効果は同様であり、ここではさらなる説明は行わない。
【０２２４】
図6は、本発明による基地局の第2の実施形態の概略の構造図である。図6に示されるとおり、基地局は、プロセッサ40および送信機41を備える。プロセッサ40は、出力制御パラメータセットを設定するように構成され、ここで出力制御パラメータセットは、少なくとも1つの出力制御パラメータグループを含み、出力制御パラメータグループは、少なくとも1つの出力制御パラメータを含み、送信機41は、出力制御パラメータセットをユーザ機器UEに送信するように構成され、UEが、出力制御パラメータセットに従って第1の出力制御グループを決定し、第1の出力制御パラメータグループ内の出力制御パラメータに従ってUEの送信出力を決定する。
【０２２５】
本発明の実施形態によって提供される基地局は、基地局の上述の方法の実施形態を実行することができる。その実施原理および技術的効果は同様であり、ここではさらなる説明は行わない。
【０２２６】
さらに、少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、ここで第2の出力制御パラメータグループは、少なくとも1つの第1の出力制御パラメータを含み、第3の出力制御グループは、第2の出力制御パラメータを含み、第2の出力制御パラメータは、UEが許容する最大送信出力での送信をUEに対して指示するために使用され、または第2の出力制御パラメータに対応する出力での送信をUEに対して指示するために使用される。
【０２２７】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、送信機41は、とりわけ、出力制御パラメータグループと通信サービスとの間の第1の写像関係を含む出力制御パラメータセットをUEに送信するように構成される。
【０２２８】
本発明の実施形態によって提供される基地局は、基地局の上述の方法の実施形態を実行することができる。その実施原理および技術的効果は同様であり、ここではさらなる説明は行わない。
【０２２９】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、送信機41は、とりわけ、出力制御パラメータセットおよび第1の識別子をUEに送信するように構成され、ここで出力制御パラメータセットは、出力制御パラメータグループと出力制御グループ識別子との間の第2の写像関係を含み、したがってUEが、第1の識別子および第2の写像関係に従って第1の出力制御パラメータグループを決定する。
【０２３０】
本発明の実施形態によって提供される基地局は、基地局の上述の方法の実施形態を実行することができる。その実施原理および技術的効果は同様であり、ここではさらなる説明は行わない。
【０２３１】
随意により、少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、送信機41は、とりわけ、出力制御パラメータセットおよび第2の識別子をUEに送信するように構成され、ここで出力制御パラメータセットは、所定のシーケンスに従って基地局によって設定された少なくとも2つの出力制御パラメータグループを含んでおり、UEが、第2の識別子および出力制御パラメータセットに従って第1の出力制御パラメータグループを決定する。
【０２３２】
本発明の実施形態によって提供される基地局は、基地局の上述の方法の実施形態を実行することができる。その実施原理および技術的効果は同様であり、ここではさらなる説明は行わない。
【０２３３】
随意により、少なくとも1つの出力制御パラメータグループは、1つの第2の出力制御パラメータグループおよび1つの第3の出力制御パラメータグループを含み、送信機41は、とりわけ、出力制御パラメータセットおよび第3の識別子をUEに送信するように構成され、UEが、第3の識別子および出力制御パラメータセットに従って第1の出力制御パラメータグループを決定する。
【０２３４】
本発明の実施形態によって提供される基地局は、基地局の上述の方法の実施形態を実行することができる。その実施原理および技術的効果は同様であり、ここではさらなる説明は行わない。
【０２３５】
随意により、少なくとも1つの出力制御パラメータグループは、1つの第2の出力制御パラメータグループを含み、送信機41は、とりわけ、出力制御パラメータセットおよび第4の識別子をUEに送信するように構成され、UEが、第4の識別子および出力制御パラメータセットに従って、第1の出力制御パラメータグループが第1の出力制御パラメータまたは第2の出力制御パラメータを含むと判断する。
【０２３６】
本発明の実施形態によって提供される基地局は、基地局の上述の方法の実施形態を実行することができる。その実施原理および技術的効果は同様であり、ここではさらなる説明は行わない。
【０２３７】
最後に、以上の実施形態が、あくまでも本発明の技術的解決策の説明を意図しており、本発明の限定を意図するものではないことに、注意すべきである。本発明を、以上の実施形態を参照して詳しく説明したが、当業者であれば、本発明の実施形態の技術的解決策の技術的範囲から離れることなく、以上の実施形態において説明された技術的解決策について変更を加えることが依然として可能であり、または以上の実施形態において説明された技術的解決策の一部またはすべての技術的特徴について均等な置き換えが依然として可能であることを、理解すべきである。
【符号の説明】
【０２３８】
10  受信モジュール
11  決定モジュール
12  決定モジュール
20  設定モジュール
21  送信モジュール
30  受信機
31  プロセッサ
40  プロセッサ
41  送信機
【図１】
2016529814.tif 000014
【図２】
2016529814.tif 000015
【図３】
2016529814.tif 000016
【図４】
2016529814.tif 000017
【図５】
2016529814.tif 000018
【図６】
2016529814.tif 000019
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
基地局によって送信され、少なくとも1つの出力制御パラメータグループを含んでおり、該出力制御パラメータグループは少なくとも1つの出力制御パラメータを含んでいる出力制御パラメータセットを、ユーザ機器UEによって受信するステップと、
UEによって、前記出力制御パラメータセットに従って、第1の出力制御パラメータグループを決定するステップと、
UEによって、前記第1の出力制御パラメータグループ内の出力制御パラメータに従って、UEの送信出力を決定するステップと
を含む出力制御方法。
【請求項２】
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、前記第2の出力制御パラメータグループは、少なくとも1つの第1の出力制御パラメータを含み、前記第3の出力制御パラメータグループは、第2の出力制御パラメータを含み、前記第2の出力制御パラメータは、UEが許容する最大送信出力での送信をUEに対して指示するために使用され、または該第2の出力制御パラメータに対応する出力での送信をUEに対して指示するために使用される、請求項1に記載の方法。
【請求項３】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
基地局によって送信された出力制御パラメータセットを機器UEによって受信するステップは、
基地局によって送信され、出力制御パラメータグループと通信サービスとの間の第1の写像関係を含んでいる出力制御パラメータセットを、UEによって受信するステップ
を特に含み、
UEによって前記出力制御パラメータセットに従って第1の出力制御パラメータグループを決定するステップは、
UEによって開始される通信サービスおよび前記第1の写像関係に従って、前記第1の出力制御パラメータグループをUEによって決定するステップ
を特に含む、請求項2に記載の方法。
【請求項４】
前記少なくとも1つの出力制御パラメータグループは、1つの第2の出力制御パラメータグループおよび1つの第3の出力制御パラメータグループを含み、
基地局によって送信された出力制御パラメータセットをUEによって受信するステップは、
基地局によって送信された出力制御パラメータセットおよび第3の識別子をUEによって受信するステップ
を特に含み、
UEによって前記出力制御パラメータセットに従って第1の出力制御パラメータグループを決定するステップは、
前記第3の識別子および前記出力制御パラメータセットに従って、前記第1の出力制御パラメータグループをUEによって決定するステップ
を特に含む、請求項2に記載の方法。
【請求項５】
前記少なくとも1つの出力制御パラメータグループは、1つの第2の出力制御パラメータグループを含み、
基地局によって送信された出力制御パラメータセットをUEによって受信するステップは、
基地局によって送信された出力制御パラメータセットおよび第4の識別子をUEによって受信するステップ
を特に含み、
UEによって前記出力制御パラメータセットに従って第1の出力制御パラメータグループを決定するステップは、
前記第4の識別子および前記出力制御パラメータセットに従って、前記第1の出力制御パラメータグループが第1の出力制御パラメータまたは第2の出力制御パラメータを含むとUEによって判断するステップ
を特に含む、請求項2に記載の方法。
【請求項６】
出力制御パラメータセットを基地局によって設定するステップであって、該出力制御パラメータセットは、少なくとも1つの出力制御パラメータグループを含み、該出力制御パラメータグループは、少なくとも1つの出力制御パラメータを含むステップと、
ユーザ機器UEにおいて前記出力制御パラメータセットに従って第1の出力制御パラメータグループを決定し、該第1の出力制御パラメータグループ内の出力制御パラメータに従ってUEの送信出力を決定するために、前記出力制御パラメータセットを基地局によってUEに送信するステップと
を含む出力制御方法。
【請求項７】
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、
前記第2の出力制御パラメータグループは、少なくとも1つの第1の出力制御パラメータを含み、前記第3の出力制御パラメータグループは、第2の出力制御パラメータを含み、
前記第2の出力制御パラメータは、UEが許容する最大送信出力での送信をUEに対して指示するために使用され、または該第2の出力制御パラメータに対応する出力での送信をUEに対して指示するために使用される、請求項6に記載の方法。
【請求項８】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記出力制御パラメータセットを基地局によってUEに送信するステップは、
出力制御パラメータグループと通信サービスとの間の第1の写像関係を含んでいる出力制御パラメータセットを、基地局によってUEに送信するステップ
を特に含む、請求項7に記載の方法。
【請求項９】
前記少なくとも1つの出力制御パラメータグループは、1つの第2の出力制御パラメータグループおよび1つの第3の出力制御パラメータグループを含み、
前記出力制御パラメータセットを基地局によってUEに送信するステップは、
出力制御パラメータセットおよび第3の識別子を基地局によってUEに送信するステップ
を特に含み、
UEは、前記第3の識別子および前記出力制御パラメータセットに従って前記第1の出力制御パラメータグループを決定する、請求項7に記載の方法。
【請求項１０】
前記少なくとも1つの出力制御パラメータグループは、1つの第2の出力制御パラメータグループを含み、
前記出力制御パラメータセットを基地局によってUEに送信するステップは、
出力制御パラメータセットおよび第4の識別子を基地局によってUEに送信するステップ
を特に含み、
UEは、前記第4の識別子および前記出力制御パラメータセットに従って、前記第1の出力制御パラメータグループが第1の出力制御パラメータまたは第2の出力制御パラメータを含むと判断する、請求項7に記載の方法。
【請求項１１】
基地局によって送信され、少なくとも1つの出力制御パラメータグループを含んでおり、該出力制御パラメータグループは少なくとも1つの出力制御パラメータを含んでいる出力制御パラメータセットを、受信する受信機と、
前記出力制御パラメータセットに従って第1の出力制御パラメータグループを決定し、該第1の出力制御パラメータグループ内の出力制御パラメータに従ってUEの送信出力を決定するプロセッサと
を備えるユーザ機器。
【請求項１２】
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、前記第2の出力制御パラメータグループは、少なくとも1つの第1の出力制御パラメータを含み、前記第3の出力制御パラメータグループは、第2の出力制御パラメータを含み、前記第2の出力制御パラメータは、UEが許容する最大送信出力での送信をUEに対して指示するために使用され、または該第2の出力制御パラメータに対応する出力での送信をUEに対して指示するために使用される、請求項11に記載のユーザ機器。
【請求項１３】
前記少なくとも1つの出力制御パラメータグループは、少なくとも2つの第2の出力制御パラメータ、または少なくとも1つの第3の出力制御パラメータグループおよび少なくとも1つの第2の出力制御パラメータグループ、または少なくとも2つの第3の出力制御パラメータグループを含み、
前記受信機は、基地局によって送信された出力制御パラメータセットを受信するように特に構成され、該出力制御パラメータセットは、出力制御パラメータグループと通信サービスとの間の第1の写像関係を含んでおり、
前記プロセッサは、ユーザ機器によって開始される通信サービスおよび前記第1の写像関係に従って、前記第1の出力制御パラメータグループを決定するように特に構成されている、請求項12に記載のユーザ機器。
【請求項１４】
少なくとも1つの出力制御パラメータグループを含んでおり、該出力制御パラメータグループは少なくとも1つの出力制御パラメータを含んでいる出力制御パラメータセットを、設定するプロセッサと、
ユーザ機器UEにおいて前記出力制御パラメータセットに従って第1の出力制御パラメータグループを決定し、該第1の出力制御パラメータグループ内の出力制御パラメータに従ってUEの送信出力を決定するために、前記出力制御パラメータセットをUEに送信する送信機と
を備える基地局。
【請求項１５】
前記少なくとも1つの出力制御パラメータグループは、少なくとも1つの第2の出力制御パラメータグループ、または少なくとも1つの第3の出力制御パラメータグループおよび少なくとも1つの第2の出力制御パラメータグループ、または少なくとも1つの第3の出力制御パラメータグループを含み、前記第2の出力制御パラメータグループは、少なくとも1つの第1の出力制御パラメータを含み、前記第3の出力制御パラメータグループは、第2の出力制御パラメータを含み、前記第2の出力制御パラメータは、UEが許容する最大送信出力での送信をUEに対して指示するために使用され、または該第2の出力制御パラメータに対応する出力での送信をUEに対して指示するために使用される、請求項14に記載の基地局。
【国際調査報告】
2016529814.tif 000020
2016529814.tif 000021
2016529814.tif 000022
2016529814.tif 000023